(57)【特許請求の範囲】
【請求項１】
吹出口（１５）が形成されているケーシング（１１）と、
前記吹出口から吹出される吹出空気の上下方向の流れを変更可能な水平羽根（３１，２３１，４３１）と、
前記水平羽根よりも上方に配置されており、前記水平羽根の上側面と共同して、前記吹出空気をコアンダ効果により下側面（３３ａ，３４ａ，２３２ａ，３３２ａ，４３２ａ）に沿ったコアンダ気流にするコアンダ羽根（３２，４３２）と、
前記コアンダ羽根及び前記水平羽根のそれぞれの姿勢を、前記吹出空気の一部を前記コアンダ気流にし、前記吹出空気の残りを前記水平羽根の前記上側面に沿わせた気流にして前記コアンダ気流にしない、所定の姿勢に変更可能な制御部（４０）と、
を備え、
前記コアンダ羽根及び前記水平羽根のそれぞれの姿勢が前記所定の姿勢に変更されると、前記吹出空気が前記コアンダ気流になっている部分と前記吹出空気が前記コアンダ気流になっていない部分とが、前記吹出口の長手方向に並んで位置している、
空調室内機。
【請求項２】
前記コアンダ羽根（３２）は、長手方向に分割された、第１コアンダ羽根（３３）と第２コアンダ羽根（３４）とを含み、
前記制御部は、前記第１コアンダ羽根と前記第２コアンダ羽根とを、独立して駆動させる、
請求項１に記載の空調室内機。
【請求項３】
前記水平羽根（２３１）は、長手方向に分割された、第１水平羽根（２３５）と第２水平羽根（２３６）とを含み、
前記制御部は、前記第１水平羽根と前記第２水平羽根とを、独立して駆動させる、
請求項１又は２に記載の空調室内機。
【請求項４】
前記コアンダ羽根（４３２）及び前記水平羽根（４３１）は、２以上に分割されておらず、
前記コアンダ羽根及び前記水平羽根の姿勢の組合せは、前記コアンダ羽根の一部で前記コアンダ気流が発生し、前記コアンダ羽根の他部で前記コアンダ気流が発生しない組合せを含む、
請求項１に記載の空調室内機。
【請求項５】
前記吹出口から正面方向に向かって前記吹出空気が吹き出される正面吹き姿勢と、前記吹出口から左右側面方向に向かって前記吹出空気が吹き出される横吹き姿勢と、を採ることが可能であり、前記吹出空気の左右方向の流れを変更する垂直羽根（２０）、
を備え、
前記制御部は、前記コアンダ羽根及び前記水平羽根の姿勢を、前記コアンダ羽根の一部で前記コアンダ気流が発生し、前記コアンダ羽根の他部で前記コアンダ気流が発生しない組合せに含まれる前記所定の姿勢に変更する場合には、前記垂直羽根の姿勢を前記横吹き姿勢にする、
請求項４に記載の空調室内機。
【請求項６】
前記制御部は、
前記コアンダ羽根及び前記水平羽根の姿勢と、前記垂直羽根の姿勢とを変更することで、
前記吹出空気の一部を前記コアンダ気流にし、前記吹出空気の残りを前記コアンダ気流にしない一部コアンダ吹きモードと、
前記吹出空気の全てを前記コアンダ気流にし、又は、前記吹出空気の全てを前記コアンダ気流にしない通常吹きモードと、
を実行可能であり、
前記正面吹き姿勢を採る前記垂直羽根に対する前記横吹き姿勢を採る前記垂直羽根の羽根角度は、前記一部コアンダ吹きモード実行時のほうが、前記通常吹きモード実行時よりも小さい、
請求項５に記載の空調室内機。
【請求項７】
前記コアンダ羽根は、長手方向に分割された、第１コアンダ羽根と第２コアンダ羽根とを含み、
前記水平羽根は、長手方向に分割された、第１水平羽根と第２水平羽根とを含み、
前記制御部は、前記第１コアンダ羽根、前記第２コアンダ羽根、前記第１水平羽根、及び、前記第２水平羽根を、それぞれ独立して駆動させる、
請求項１から３のいずれか１項に記載の空調室内機。
【請求項８】
前記コアンダ羽根の長手方向の寸法は、前記吹出口の長手方向の寸法よりも短い、
請求項１から７のいずれか１項に記載の空調室内機。
【請求項９】
前記ケーシングには、前記吹出口よりも上方に、空気を吸込むための吸込口（１９）が形成されており、
前記コアンダ気流となった前記吹出空気は、前記吸込口に導かれる、
請求項１から８のいずれか１項に記載の空調室内機。
【発明の詳細な説明】
【技術分野】
【０００１】
本発明は、コアンダ効果を利用して、吹出空気の流れを所定の方向へ誘導する空調室内機に関する。
【背景技術】
【０００２】
従来より、コアンダ効果を利用して、吹出空気の流れを所定の方向へ誘導し、所望の風向きを形成する空調室内機がある。例えば、特許文献１（特開２００４−１０１１２８号公報）に開示されている空気調和機では、吹出口近傍で、かつ、吹出空気の通り道に横ルーバが配置されている。この空調室内機では、吹出空気のすべてが、コアンダ効果によって、横ルーバに沿った上向きのコアンダ気流となり、室内の天井に向かう風向きが形成されている。
【発明の概要】
【発明が解決しようとする課題】
【０００３】
ところで、複数の風向きを同時に形成するために、コアンダ気流を利用した風向きと、コアンダ気流を利用しない風向きと、を組み合わせることが考えられる。
【０００４】
そこで、本発明の課題は、コアンダ気流を利用した風向きとコアンダ気流を利用しない風向きとを同時に形成することで、様々なバリエーションの風向きを形成することができる空調室内機を提供することにある。
【課題を解決するための手段】
【０００５】
本発明の第１観点に係る空調室内機は、ケーシングと、水平羽根と、コアンダ羽根と、制御部と、を備える。ケーシングには、吹出口が形成されている。水平羽根は、吹出口から吹き出される吹出空気の上下方向の流れを変更可能である。コアンダ羽根は、水平羽根よりも上方に配置されている。コアンダ羽根は、水平羽根の上側面と共同して、吹出空気をコアンダ効果により下側面に沿ったコアンダ気流にする。制御部は、コアンダ羽根及び水平羽根のそれぞれの姿勢を、吹出空気の一部を前記コアンダ気流にし、吹出空気の残りを水平羽根の上側面に沿わせた気流にして前記コアンダ気流にしない所定の姿勢に変更可能である。また、コアンダ羽根及び水平羽根のそれぞれの姿勢が前記所定の姿勢に変更されると、吹出空気が前記コアンダ気流になっている部分と吹出空気が前記コアンダ気流になっていない部分とが、吹出口の長手方向に並んで位置している。
【０００６】
本発明の第１観点に係る空調室内機では、コアンダ羽根及び水平羽根のそれぞれの姿勢を、吹出空気の一部をコアンダ羽根の下側面に沿わせたコアンダ気流にして、吹出空気の残りを水平羽根の上側面に沿わせた気流にして前記コアンダ気流にしない所定の姿勢にすることができる。このため、コアンダ羽根及び水平羽根のそれぞれの姿勢を前記所定の姿勢にすることで、コアンダ気流を利用した風向きと、コアンダ気流を利用しない風向きとを、同時に形成することができる。
【０００７】
これによって、様々なバリエーションの風向きを形成することができる。
【０００８】
本発明の第２観点に係る空調室内機は、第１観点の空調室内機において、コアンダ羽根は、長手方向に分割された、第１コアンダ羽根と第２コアンダ羽根とを含む。制御部は、第１コアンダ羽根と第２コアンダ羽根とを独立して駆動させる。この空調室内機では、第１コアンダ羽根及び第２コアンダ羽根が独立して駆動されることで、長手方向に分割された第１コアンダ羽根及び第２コアンダ羽根のぞれぞれの姿勢を、異なる姿勢にすることができる。このため、例えば、所定の姿勢を採った水平羽根に対して、所定の面に沿ったコアンダ気流が発生する姿勢を第１コアンダ羽根に採らせ、所定の面に沿ったコアンダ気流が発生しない姿勢を第２コアンダ羽根に採らせることで、吹出空気の一部を第１コアンダ羽根の所定の面に沿ったコアンダ気流にし、吹出空気の残りを第２コアンダ羽根の所定の面に沿ったコアンダ気流にしないようにすることができる。この結果、コアンダ気流を利用した風向きと、コアンダ気流を利用しない風向きと、を同時に形成することができる。
【０００９】
本発明の第３観点に係る空調室内機は、第１観点又は第２観点の空調室内機において、水平羽根は、長手方向に分割された、第１水平羽根と第２水平羽根とを含む。制御部は、第１水平羽根と第２水平羽根とを独立して駆動させる。この空調室内機では、第１水平羽根及び第２水平羽根が独立して駆動されることで、長手方向に分割された第１水平羽根及び第２水平羽根のそれぞれの姿勢を、異なる姿勢にすることができる。このため、例えば、所定の姿勢を採ったコアンダ羽根に対して、コアンダ羽根の所定の面に沿ったコアンダ気流が発生する姿勢を第１水平羽根に採らせ、コアンダ羽根の所定の面に沿ったコアンダ気流が発生しない姿勢を第２水平羽根に採らせることで、第１水平羽根側では吹出空気の一部がコアンダ気流になり、第２水平羽根側では吹出空気の残りがコアンダ気流にならないようにすることができる。この結果、コアンダ気流を利用した風向きと、コアンダ気流を利用しない風向きとを、同時に形成することができる。
【００１０】
本発明の第４観点に係る空調室内機は、第１観点の空調室内機において、コアンダ羽根及び水平羽根は、２以上に分割されていない。また、コアンダ羽根及び水平羽根の姿勢の組合せは、コアンダ羽根の一部でコアンダ気流が発生し、コアンダ気流の他部でコアンダ気流が発生しない組合せを含む。この空調室内機では、コアンダ羽根及び水平羽根の姿勢の組合せを、コアンダ羽根の一部でコアンダ気流が発生しコアンダ羽根の他部でコアンダ気流が発生しない姿勢の組合せにすることで、コアンダ気流を利用した風向きと、コアンダ気流を利用しない風向きとを同時に形成することができる。
【００１１】
本発明の第５観点に係る空調室内機は、第４観点の空調室内機において、吹出空気の左右方向の流れを変更する垂直羽根を備える。垂直羽根は、正面吹き姿勢と、横吹き姿勢と、を採ることが可能である。垂直羽根が正面吹き姿勢を採ることで、吹出口から正面方向に向かって吹出空気が吹き出される。垂直羽根が横吹き姿勢を採ることで、吹出口から左右側面方向に向かって吹出空気が吹き出される。また、制御部は、コアンダ羽根及び水平羽根の姿勢を、コアンダ羽根の一部でコアンダ気流が発生し、コアンダ羽根の他部でコアンダ気流が発生しない組合せに含まれる所定の姿勢に変更する場合には、垂直羽根の姿勢を横吹き姿勢にする。この空調室内機では、コアンダ気流を利用した風向きとコアンダ気流を利用しない風向きとを同時に形成するときに、吹出空気が吹出口から左右側面方向に向かって吹き出されるため、風向きのバリエーションを増やすことができる。
【００１２】
本発明の第６観点に係る空調室内機は、第５観点の空調室内機において、制御部は、コアンダ羽根及び水平羽根の姿勢と、垂直羽根の姿勢とを変更することで、一部コアンダ吹きモードと通常吹きモードとを実行可能である。一部コアンダ吹きモードは、吹出空気の一部をコアンダ気流にし、吹出空気の残りをコアンダ気流にしないモードである。通常吹きモードは、吹出空気の全てをコアンダ気流にし、又は、吹出空気の全てをコアンダ気流にしないモードである。さらに、正面吹き姿勢を採る垂直羽根に対する横吹き姿勢を採る垂直羽根の羽根角度は、一部コアンダ吹きモード実行時のほうが、通常吹きモード実行時よりも小さい。
【００１３】
本発明者は、垂直羽根が横吹き姿勢を採るときは、垂直羽根が正面吹き姿勢を採るときよりも、コアンダ羽根及び水平羽根の相対角度を小さくしなければ、コアンダ羽根の所定の面全域で安定したコアンダ気流を発生させることができないことを発見した。
【００１４】
そこで、本発明の第６観点に係る空調室内機では、一部コアンダ吹きモード実行時の垂直羽根の羽根角度を、通常吹きモード実行時の垂直羽根の羽根角度よりも小さくすることで、通常吹きモード実行時に、吹出空気の一部がコアンダ気流になるおそれを低減することができる。
【００１５】
本発明の第７観点に係る空調室内機は、第１観点から第３観点のいずれかの空調室内機において、コアンダ羽根は、長手方向に分割された、第１コアンダ羽根と第２コアンダ羽根とを含む。水平羽根は、長手方向に分割された、第１水平羽根と第２水平羽根とを含む。制御部は、第１コアンダ羽根、第２コアンダ羽根、第１水平羽根及び第２水平羽根を、それぞれ独立して駆動させる。この空調室内機では、第１コアンダ羽根、第２コアンダ羽根、第１水平羽根及び第２水平羽根が独立して駆動されるため、第１コアンダ羽根、第２コアンダ羽根、第１水平羽根及び第２水平羽根に、それぞれ異なる姿勢を採らせることができる。この結果、例えば、コアンダ羽根及び水平羽根がそれぞれ長手方向に分割されていない空調室内機と比較して、様々なバリエーションの風向きを形成することができる。
【００１６】
本発明の第８観点に係る空調室内機は、第１観点から第７観点のいずれかの空調室内機において、コアンダ羽根の長手方向の寸法は、吹出口の長手方向の寸法よりも短い。このため、コアンダ羽根のある部分ではコアンダ羽根の所定の面に沿ったコアンダ気流を発生させ、コアンダ羽根のない部分ではコアンダ羽根の所定の面に沿ったコアンダ気流を発生させないようにすることができる。したがって、吹出空気の一部をコアンダ羽根の所定の面に沿ったコアンダ気流にし、吹出空気の残りをコアンダ羽根の所定の面に沿ったコアンダ気流にしないようにすることができるため、コアンダ気流を利用した風向きと、コアンダ気流を利用しない風向きとを同時に形成することができる。
【００１７】
本発明の第９観点に係る空調室内機は、第１観点から第８観点のいずれかの空調室内機において、ケーシングには、吹出口よりも上方に、空気を吸込むための吸込口が形成されている。また、コアンダ気流となった吹出空気は、吸込口に導かれる。このため、この空調室内機では、吹出空気をコアンダ気流にすることで、ショートサーキットを発生させることができる。したがって、吹出空気の一部をコアンダ気流にして、吹出空気の残りをコアンダ気流にしないようにすることで、吹出空気の一部だけをショートサーキットさせることができる。この結果、ショートサーキットさせた吹出空気の一部で除湿能力を向上させつつ、吹出空気の残りで室内の空調を行うことができる。
【発明の効果】
【００１８】
本発明の第１観点に係る空調室内機では、コアンダ羽根及び水平羽根のそれぞれの姿勢を所定の姿勢にすることで、コアンダ気流を利用した風向きとコアンダ気流を利用しない風向きとを同時に形成することができるため、様々なバリエーションの風向きを形成することができる。
【００１９】
本発明の第２観点に係る空調室内機では、所定の姿勢を採った水平羽根に対して、所定の面に沿ったコアンダ気流が発生する姿勢を第１コアンダ羽根に採らせ、所定の面に沿ったコアンダ気流が発生しない姿勢を第２コアンダ羽根に採らせることで、吹出空気の一部を第１コアンダ羽根に沿ったコアンダ気流にし、吹出空気の残りを第２コアンダ羽根に沿ったコアンダ気流にしないようにすることができるため、コアンダ気流を利用した風向きと、コアンダ気流を利用しない風向きと、を同時に形成することができる。
【００２０】
本発明の第３観点に係る空調室内機では、所定の姿勢を採ったコアンダ羽根に対して、コアンダ羽根の所定の面に沿ったコアンダ気流が発生する姿勢を第１水平羽根に採らせ、コアンダ羽根の所定の面に沿ったコアンダ気流が発生しない姿勢を第２水平羽根に採らせることで、第１水平羽根側では吹出空気の一部がコアンダ気流になり、第２水平羽根側では吹出空気の残りがコアンダ気流にならないため、コアンダ気流を利用した風向きと、コアンダ気流を利用しない風向きと、を同時に形成することができる。
【００２１】
本発明の第４観点に係る空調室内機では、コアンダ羽根及び水平羽根の姿勢の組合せを、コアンダ羽根の一部でコアンダ気流が発生しコアンダ羽根の他部でコアンダ気流が発生しない姿勢の組合せにすることで、コアンダ気流を利用した風向きと、コアンダ気流を利用しない風向きとを同時に形成することができる。
【００２２】
本発明の第５観点に係る空調室内機では、コアンダ気流を利用した風向きとコアンダ気流を利用しない風向きとを同時に形成するときに、吹出空気が吹出口から左右側面方向に向かって吹き出されるため、風向きのバリエーションを増やすことができる。
【００２３】
本発明の第６観点に係る空調室内機では、一部コアンダ吹きモード実行時の垂直羽根の羽根角度を、通常吹きモード実行時の垂直羽根の羽根角度よりも小さくすることで、通常吹きモード実行時に、吹出空気の一部がコアンダ気流になるおそれを低減することができる。
【００２４】
本発明の第７観点に係る空調室内機では、第１コアンダ羽根、第２コアンダ羽根、第１水平羽根及び第２水平羽根にそれぞれ異なる姿勢を採らせることができるため、様々なバリエーションの風向きを形成することができる。
【００２５】
本発明の第８観点に係る空調室内機では、コアンダ羽根の長手方向の寸法を、吹出口の長手方向の寸法よりも短くすることで、吹出空気の一部をコアンダ気流にし、吹出空気の残りをコアンダ気流にしないようにすることができ、この結果、コアンダ気流を利用した風向きと、コアンダ気流を利用しない風向きとを同時に形成することができる。
【００２６】
本発明の第９観点に係る空調室内機では、コアンダ気流となった吹出空気が吸込口に導かれるため、吹出空気の一部だけをコアンダ気流にすることで、吹出空気の一部だけをショートサーキットさせることができ、この結果、ショートサーキットさせた吹出空気の一部で除湿能力を向上させつつ、吹出空気の残りで室内の空調を行うことができる。
【図面の簡単な説明】
【００２７】
【図１】本発明の第１実施形態に係る運転停止時の空調室内機の斜視図。
【図２】運転時の空調室内機の斜視図。
【図３】運転停止時の空調室内機の断面図。
【図４】運転時の空調室内機の断面図。
【図５】運転時の空調室内機の断面図。
【図６Ａ】吹出空気が通常前吹き時の吹出口近傍の部分断面図。
【図６Ｂ】吹出空気が通常前方下吹き時の吹出口近傍の部分断面図。
【図６Ｃ】吹出空気がコアンダ気流天井吹き時の吹出口近傍の部分断面図。
【図６Ｄ】吹出空気がコアンダ気流前方吹き時の吹出口近傍の部分断面図。
【図６Ｅ】吹出空気が下吹き時の吹出口近傍の部分断面図。
【図６Ｆ】吹出空気が除湿機能向上吹き時の吹出口近傍の部分断面図。
【図７】空調室内機の側面図であって、吹出空気が除湿機能向上吹き時の吹出口近傍部分を示す図。
【図８】変形例１Ｄに係る運転時の空調室内機の斜視図。
【図９】変形例１Ｅに係る運転時の空調室内機の斜視図。
【図１０】変形例１Ｆに係る運転時の空調室内機の斜視図。
【図１１】変形例１Ｆに係る運転時の空調室内機の斜視図。
【図１２】本発明の第２実施形態に係る運転時の空調室内機の斜視図。
【図１３】本発明の第２実施形態に係る運転時の空調室内機を下側から視た図。
【図１４】運転時の空調室内機の一例を示す図であって、（ａ）空調室内機の正面図、（ｂ）空調室内機の側面図、（ｃ）コアンダ羽根の外側面における吹出空気の流れを示す概略図。
【図１５】運転時の空調室内機の一例を示す図であって、（ａ）空調室内機の正面図、（ｂ）空調室内機の側面図、（ｃ）コアンダ羽根の外側面における吹出空気の流れを示す概略図。
【図１６】運転時の空調室内機の一例を示す図であって、（ａ）空調室内機の正面図、（ｂ）空調室内機の側面図、（ｃ）コアンダ羽根の外側面における吹出空気の流れを示す概略図。
【図１７】コアンダ羽根及び水平羽根の羽根角度と吹出空気との関係を説明するための図。
【図１８】コアンダ羽根の羽根角度及び水平羽根の羽根角度を説明するための図。
【図１９】変形例２Ａに係る運転時の空調室内機の一例を示す図であって、（ａ）空調室内機の正面図、（ｂ）空調室内機の側面図、（ｃ）コアンダ羽根の外側面における吹出空気の流れを示す概略図。
【図２０】変形例２Ａに係る運転時の空調室内機の一例を示す図であって、（ａ）空調室内機の正面図、（ｂ）空調室内機の側面図、（ｃ）コアンダ羽根の外側面における吹出空気の流れを示す概略図。
【図２１】コアンダ羽根及び水平羽根の羽根角度と吹出空気との関係を説明するための図。
【図２２】垂直羽根の採る姿勢と垂直羽根の羽根角度とを説明するための図。
【発明を実施するための形態】
【００２８】
以下、図面を参照しながら、本発明の実施形態について説明する。なお、以下の実施形態は、本発明の具体例であって、本発明の技術的範囲を限定するものではない。
【００２９】
＜第１実施形態＞
（１）空調室内機の構成
図１は、本発明の第１実施形態に係る運転停止時の空調室内機１０の斜視図である。図２は、コアンダ気流利用モード実行時の空調室内機１０の斜視図である。図３は、運転停止時の空調室内機１０の断面図である。図４は、運転時の空調室内機１０の断面図である。図５は、斜め方向から視た運転時の空調室内機１０の断面図である。
【００３０】
空調室内機１０は、室内の壁面に取り付けられる壁掛け型の空調室内機であり、本体ケーシング１１、室内熱交換器１３、室内ファン１４、底フレーム１６、及び制御部４０を備えている。
【００３１】
本体ケーシング１１は、天面部１１ａ、前面パネル１１ｂ、背面板１１ｃ及び下部水平板１１ｄを有し、内部に室内熱交換器１３、室内ファン１４、底フレーム１６、及び制御部４０を収納している。
【００３２】
天面部１１ａは、本体ケーシング１１の上部に位置し、天面部１１ａの前部には、吸込口１９が設けられている。
【００３３】
前面パネル１１ｂは空調室内機１０の前面部を構成しており、吸込口１９がないフラットな形状を成している。また、前面パネル１１ｂは、その上端が天面部１１ａに回動自在に支持され、ヒンジ式に動作することができる。
【００３４】
室内熱交換器１３及び室内ファン１４は、底フレーム１６に取り付けられている。室内熱交換器１３は、通過する空気との間で熱交換を行う。また、室内熱交換器１３は、側面視において両端が下方に向いて屈曲する逆Ｖ字状の形状を成し、その下方に室内ファン１４が位置する。室内ファン１４は、クロスフローファンであり、室内から取り込んだ空気を、室内熱交換器１３に当てて通過させた後、室内に吹き出す。
【００３５】
本体ケーシング１１の下部には、吹出口１５が設けられている。吹出口１５には、吹出口１５から吹き出される吹出空気の上下方向の流れを変更する水平羽根３１が回動自在に取り付けられている。水平羽根３１は、モータ（図示せず）によって駆動し、吹出空気の上下方向の流れを変更するだけでなく、吹出口１５を開閉することもできる。また、水平羽根３１は、傾斜角度が異なる複数の姿勢を採ることが可能である。
【００３６】
また、吹出口１５の近傍であって、水平羽根３１の上方には、コアンダ羽根３２が設けられている。コアンダ羽根３２は、複数（本実施形態では２つの）に分割されており、モータ（図示せず）によってそれぞれ駆動する。また、各コアンダ羽根３２は、それぞれ、傾斜角度が異なる複数の姿勢を採ることが可能である。なお、コアンダ羽根３２は、運転停止時に前面パネル１１ｂに設けられた収容部６０に収容される。
【００３７】
さらに、吹出口１５は、吹出流路１８によって本体ケーシング１１の内部と繋がっている。吹出流路１８は、吹出口１５から底フレーム１６のスクロール面１７に沿って形成されている。
【００３８】
室内空気は、室内ファン１４の稼動によって吸込口１９、室内熱交換器１３を経て室内ファン１４に吸い込まれ、室内ファン１４から吹出流路１８を経て吹出口１５から吹き出される。
【００３９】
制御部４０は、本体ケーシング１１を前面パネル１１ｂから視て室内熱交換器１３及び室内ファン１４の右側方に位置しており、室内ファン１４の回転数制御、垂直羽根２０、水平羽根３１及びコアンダ羽根３２の動作制御を行う。また、制御部４０は、水平羽根３１及びコアンダ羽根３２を独立して駆動させる。
【００４０】
（２）詳細構成
（２−１）前面パネル
前面パネル１１ｂは、図３に示すように、本体ケーシング１１の上部前方からなだらかな円弧曲面を描きながら下部水平板１１ｄの前方エッジに向かって延びている。前面パネル１１ｂの下部に本体ケーシング１１の内側に向かって窪んだ領域がある。この領域の窪み深さはコアンダ羽根３２の厚み寸法に合うように設定されており、コアンダ羽根３２が収容される収容部６０を成している。収容部６０の表面もなだらかな円弧曲面である。
【００４１】
（２−２）吹出口
吹出口１５は、図３に示すように、本体ケーシング１１の下部に形成されており、本体ケーシング１１の長手方向を長辺とする長方形の開口である。吹出口１５の下端部（後端部）は下部水平板１１ｄの前方エッジに接しており、吹出口１５の下端部（後端部）と上端部（前端部）とを結ぶ仮想面は前方上向きに傾斜している。
【００４２】
（２−３）スクロール面
スクロール面１７は、室内ファン１４に対峙するように湾曲した隔壁であり、底フレーム１６の一部である。また、スクロール面１７は、吹出流路１８の下部を形成しており、スクロール面１７の終端Ｆは、吹出口１５の周縁近傍まで到達している。吹出流路１８を通る空気は、スクロール面１７に沿って進み、スクロール面１７の終端Ｆの接線方向に送られる。したがって、吹出口１５に水平羽根３１がなければ、吹出口１５から吹き出される吹出空気の風向きは、スクロール面１７の終端Ｆの接線Ｌ０に概ね沿った方向になる（図４参照）。
【００４３】
（２−４）垂直羽根
垂直羽根２０は、複数の羽根片２１と、複数の羽根片２１を連結する連結棒２３を有している（図３及び図４参照）。また、垂直羽根２０は、吹出流路１８において、水平羽根３１よりも室内ファン１４近傍に配置されている。
【００４４】
複数枚の羽根片２１は、連結棒２３が吹出口１５の長手方向に沿って水平往復移動することによって、その長手方向に対して垂直な状態を中心に左右に揺動する。なお、連結棒２３は、モータ（図示せず）によって水平往復移動する。
【００４５】
（２−５）水平羽根
水平羽根３１は、空調室内機１０の長手方向に長い１つの板状の部材であって、吹出口１５を塞ぐことができる程度の面積を有している（図１及び図２参照）。水平羽根３１が吹出口１５を閉じた状態において、その外側面３１ａは前面パネル１１ｂの曲面の延長上にあるような外側に凸のなだらかな円弧曲面に仕上げられている。また、水平羽根３１の内側面３１ｂも、外側面３１ａにほぼ平行な円弧曲面を成している。なお、本実施形態では、水平羽根３１の内側面３１ｂが円弧曲面を成しているが、水平羽根の内側面が平面であってもよい。
【００４６】
水平羽根３１は、下端部（後端部）に回動軸３７を有している。回動軸３７は、吹出口１５の下端部（後端部）近傍で、本体ケーシング１１に固定されているステッピングモータ（図示せず）の回転軸に連結されている。
【００４７】
回動軸３７が図３の正面視反時計方向に回動することによって、水平羽根３１の上端部（前端部）が吹出口１５の上端部（前端部）側から遠ざかるように動作して、吹出口１５を開ける。逆に、回動軸３７が図３の正面視時計方向に回動することによって、水平羽根３１の上端部（前端部）が吹出口１５の上端部（前端部）側へ近づくように動作して、吹出口１５を閉じる。
【００４８】
水平羽根３１が吹出口１５を開けている状態において、吹出口１５から吹き出された吹出空気は、水平羽根３１の内側面３１ｂに概ね沿って流れる。このため、水平羽根３１の内側面３１ｂがスクロール面１７の終端Ｆの接線Ｌ０よりも上側にある場合には、スクロール面１７の終端Ｆの接線方向に概ね沿って吹き出された吹出空気は、その風向きが水平羽根３１によって上向きに変更される。
【００４９】
（２−６）コアンダ羽根
コアンダ羽根３２は、図１及び図２に示すように、長手方向に分割された板状の部材であり、本実施形態では、吹出口１５の長手方向（左右方向）に隣接して配置されている。なお、以下より、説明の便宜上、空調室内機１０を正面視した場合に、左側に配置されたコアンダ羽根を第１コアンダ羽根３３といい、右側に配置されたコアンダ羽根を第２コアンダ羽根３４という。また、本実施形態では、第１コアンダ羽根３３及び第２コアンダ羽根３４の長手方向の寸法を合計すると、水平羽根３１の長手方向の寸法以上となるように、設計されている。さらに、第１コアンダ羽根３３及び第２コアンダ羽根３４は、制御部４０によって独立して駆動される。
【００５０】
なお、本実施形態では、第１コアンダ羽根３３と第２コアンダ羽根３４とは同様の構成であるため、ここでは、第１コアンダ羽根３３の構成のみ説明し、第２コアンダ羽根３４の構成については、第１コアンダ羽根３３の各部を示す３３番台の符号の代わりに３４番台の符号を付して、各部の説明を省略する。
【００５１】
第１コアンダ羽根３３は、空調運転が停止している場合や後述する所定のモードで運転している場合は、収容部６０に収納されている。
【００５２】
また、第１コアンダ羽根３３は、回動することによって収容部６０から離れて、前後方向に傾斜した姿勢を採る。第１コアンダ羽根３３の回動軸３３ｃは、収容部６０の下端近傍で且つ本体ケーシング１１の内側の位置（吹出流路１８上壁の上方の位置）に設けられており、第１コアンダ羽根３３の下端部と回動軸３３ｃとは所定の間隔を保って連結されている。それゆえ、回動軸３３ｃが回動して第１コアンダ羽根３３の上端部が前面パネル１１ｂの収容部６０から離れるほど、第１コアンダ羽根３３の下端部の高さ位置は低くなるように回転する。また、第１コアンダ羽根３３が回動して開いたときの傾斜は、前面パネル１１ｂの傾斜よりも緩やかである。
【００５３】
また、回動軸３３ｃが図３の正面視反時計方向に回動することによって、第１コアンダ羽根３３の上端部および下端部ともに円弧を描きながら収容部６０から離れるが、そのとき、第１コアンダ羽根３３の上端部と収容部６０との最短距離は、第１コアンダ羽根３３の下端部と収容部６０との最短距離より大きい。そして、回動軸３３ｃが図３の正面視時計方向に回動することによって、第１コアンダ羽根３３は収容部６０に近づき、最終的に収容部６０収容される。
【００５４】
なお、第１コアンダ羽根３３の姿勢には、例えば、図６Ａ及び図６Ｂに示すように、収容部６０に収納された第１姿勢、図６Ｃに示すように、回転して前方上向きに傾斜した第２姿勢、図６Ｄに示すように、第２姿勢からさらに回転してほぼ水平な第３姿勢、図６Ｅに示すように、第３姿勢からさらに回転して前方下向きに傾斜した第４姿勢、及び、図６Ｆに示すように、第１姿勢よりも傾斜角度が小さく、かつ、第２姿勢よりも傾斜角度が大きい第５姿勢などが含まれる。
【００５５】
また、第１コアンダ羽根３３の外側面３３ａは、第１コアンダ羽根３３が収容部６０に収容された状態で、前面パネル１１ｂのなだらかな円弧曲面の延長上にあるような外側に凸のなだらかな円弧曲面に仕上げられている。また、第１コアンダ羽根３３の内側面３３ｂは、収容部６０の表面に沿うような円弧曲面に仕上げられている。
【００５６】
なお、本実施形態では、第１コアンダ羽根３３及び第２コアンダ羽根３４の外側面３３ａ，３４ａが円弧曲面を成しているが、第１コアンダ羽根及び第２コアンダ羽根の外側面が平面であってもよい。
【００５７】
（３）吹出空気の方向制御
空調室内機１０は、吹出空気の方向を制御する手段として、水平羽根３１のみを回動させて吹出空気の方向を調整する通常吹出モードと、第１コアンダ羽根３３及び第２コアンダ羽根３４の少なくとも一方と水平羽根３１とを回動させてコアンダ効果によって吹出空気の少なくとも一部を第１コアンダ羽根３３及び／又は第２コアンダ羽根３４の外側面３３ａ，３４ａに沿ったコアンダ気流にするコアンダ気流利用モードと、水平羽根３１及び第１コアンダ羽根３３及び第２コアンダ羽根３４のそれぞれの先端を前方下向きにして吹出空気を下方に導く下吹きモードと、を有している。
【００５８】
また、水平羽根３１、第１コアンダ羽根３３及び第２コアンダ羽根３４は、上記各モードにおいて、空気の吹出方向ごとに、その姿勢が変化する。上記各モードにおいて採用される水平羽根３１、第１コアンダ羽根３３及び第２コアンダ羽根３４の姿勢は、予め設定されており、制御部４０の有する記憶部（図示せず）に記憶されている。
【００５９】
なお、吹出方向の選択は、ユーザーがリモコン５０等を介して行なうことができるものとする。また、モードの変更や吹出方向は自動的に変更されるように制御することも可能である。
【００６０】
（３−１）通常吹出モード
通常吹出モードは、水平羽根３１のみを回動させて吹出空気の方向を調整するモードである。以下に、通常吹出モードの例として「通常前吹き」と「通常前方下吹き」とを説明する。
【００６１】
（３−１−１）通常前吹き
ユーザーが「通常前吹き」を選択したとき、制御部４０は水平羽根３１の内側面３１ｂが略水平になる位置まで水平羽根３１を回動させる（図６Ａ参照）。この結果、吹出空気は、水平羽根３１の内側面３１ｂに沿った前方吹きの風向きになる。
【００６２】
（３−１−２）通常前方下吹き
ユーザーは吹出方向を「通常前吹き」よりも下方に向けたいとき、「通常前方下吹き」を選択すればよい。このとき、制御部４０は、水平羽根３１の内側面３１ｂを、水平よりも前下がりになるまで水平羽根３１を回動させる（図６Ｂ参照）。この結果、吹出空気は、水平羽根３１の内側面３１ｂに沿った前方下向きの風向きになる。
【００６３】
（３−２）コアンダ気流利用モード
コアンダ（効果）とは、気体や液体の流れのそばに壁があると、流れの方向と壁の方向とが異なっていても、壁面に沿った方向に流れようとする現象である（朝倉書店「法則の辞典」）。そして、第１コアンダ羽根３３及び第２コアンダ羽根３４の外側面３３ａ，３４ａにコアンダ効果を生じさせるには、水平羽根３１の内側面３１ｂによって変更された吹出空気の方向の傾斜が、第１コアンダ羽根３３及び第２コアンダ羽根３４の姿勢（傾斜）に近くなる必要があり、両者が離れすぎていると、第１コアンダ羽根３３及び第２コアンダ羽根３４においてコアンダ効果が生じない。
【００６４】
このため、吹出空気を、第１コアンダ羽根３３及び第２コアンダ羽根３４の外側面３３ａ，３４ａに沿ったコアンダ気流にするためには、第１コアンダ羽根３３及び第２コアンダ羽根３４の両方のコアンダ羽根と水平羽根３１とによって形成される開き角度を所定角度以下の角度に、すなわち、第１コアンダ羽根３３及び第２コアンダ羽根３４の両方のコアンダ羽根と水平羽根３１との相対角度を前記所定角度以下の角度にする必要がある。
【００６５】
したがって、第１コアンダ羽根３３及び水平羽根３１の相対角度と、第２コアンダ羽根３４及び水平羽根３１の相対角度とを、いずれも前記所定角度以下の角度に設定することで、全ての吹出空気を第１コアンダ羽根３３及び第２コアンダ羽根３４の外側面３３ａ，３４ａに沿ったコアンダ気流にすることができる。この結果、全ての吹出空気の風向きが、水平羽根３１によって変更された後、さらにコアンダ効果により変更されるため、コアンダ気流を利用した風向きのみを形成することができる。
【００６６】
一方で、第１コアンダ羽根３３と水平羽根３１との相対角度、及び、第２コアンダ羽根３４と水平羽根３１との相対角度のいずれか一方を前記所定角度以下の角度に設定し、他方を前記所定角度より大きい角度に設定することで、吹出空気の一部を第１コアンダ羽根３３又は第２コアンダ羽根３４の外側面に沿ったコアンダ気流にし、吹出空気の残りをコアンダ気流にしないようにすることができる。この結果、吹出空気の風向きは、水平羽根３１によって変更された後、その一部はさらにコアンダ効果により変更され、残りはコアンダ効果により変更されないためにそのまま維持される。これにより、コアンダ気流を利用した風向きと、コアンダ気流を利用しない風向き（水平羽根３１によって変更された風向き）と、を同時に形成することができる。
【００６７】
以下に、コアンダ気流利用モードの例として、吹出空気の全てをコアンダ気流にする「コアンダ気流天井吹き」および「コアンダ気流前方吹き」と、吹出空気の一部をコアンダ気流にして、吹出空気の残りをコアンダ気流にしない「一部天井吹き」および「除湿能力向上吹き」について説明する。
【００６８】
なお、本実施形態では、吹出空気の全てをコアンダ気流にする「コアンダ気流天井吹き」および「コアンダ気流前方吹き」では、第１コアンダ羽根３３及び第２コアンダ羽根３４は同じ姿勢を採るものとする。また、本実施形態の「コアンダ気流天井吹き」および「コアンダ気流前方吹き」では、第１コアンダ羽根３３、第２コアンダ羽根３４及び水平羽根３１のそれぞれの姿勢は、第１コアンダ羽根３３及び水平羽根３１の相対角度と、第２コアンダ羽根３４及び水平羽根３１の相対角度とが、いずれも前記所定角度以下の角度となるように、設定されている。
【００６９】
さらに、本実施形態の「一部流天井吹き」および「除湿能力向上吹き」では、第１コアンダ羽根３３、第２コアンダ羽根３４及び水平羽根３１のそれぞれの姿勢は、第１コアンダ羽根３３及び水平羽根３１の相対角度が前記所定角度以下の角度となり、かつ、第２コアンダ羽根３４及び水平羽根３１の相対角度が前記所定角度より大きい角度となるように、設定されている。また、本実施形態の「除湿能力向上吹き」で採用される第１コアンダ羽根３３の姿勢は、第１コアンダ羽根３３の外側面３３ａに沿ったコアンダ気流が発生することで、吹出空気が吸込口１９近傍に導かれて吸込口１９から吸い込まれるショートサーキットが発生するように設定されている。
【００７０】
（３−２−１）コアンダ気流天井吹き
ユーザーによって「コアンダ気流天井吹き」が選択されたとき、制御部４０は水平羽根３１の内側面３１ｂが略水平になるまで水平羽根３１を回動させる。次に、制御部４０は、第１コアンダ羽根３３及び第２コアンダ羽根３４の外側面３３ａ，３４ａが前方上向きとなるまで第１コアンダ羽根３３及び第２コアンダ羽根３４を回動させて、第１コアンダ羽根３３及び第２コアンダ羽根３４に第２姿勢を採らせる。これにより、水平羽根３１で水平吹きに調整された吹出空気は、コアンダ効果によって第１コアンダ羽根３３及び第２コアンダ羽根３４の外側面３３ａ，３４ａに付着した流れとなり、外側面３３ａ，３４ａに沿ったコアンダ気流に変わる。
【００７１】
したがって、図６Ｃに示すように、水平羽根３１の前方端Ｅ１における接線Ｌ１方向が前方吹きであっても、第１コアンダ羽根３３及び第２コアンダ羽根３４の前方端Ｅ２における接線Ｌ２方向が前方上吹きであるので、吹出空気は、コアンダ効果によって第１コアンダ羽根３３及び第２コアンダ羽根３４の外側面３３ａ，３４ａの前方端Ｅ２における接線Ｌ２方向、すなわち天井方向に吹き出される。
【００７２】
このように、コアンダ気流天井吹きでは、第１コアンダ羽根３３及び第２コアンダ羽根３４の上端部が前面パネル１１ｂから離れて第１コアンダ羽根３３及び第２コアンダ羽根３４の傾斜が緩やかになることで、吹出空気が前面パネル１１ｂよりも前方でコアンダ効果を受け易くなる。その結果、水平羽根３１で風向調節された吹出空気が前方吹きであっても、コアンダ効果によって上向きの風向きになる。
【００７３】
（３−２−２）コアンダ気流前方吹き
ユーザーによって「コアンダ気流前方吹き」が選択されたとき、制御部４０は、水平羽根３１の内側面３１ｂが水平よりも前下がりになるまで水平羽根３１を回動させる。次に、制御部４０は、第１コアンダ羽根３３及び第２コアンダ羽根３４の外側面３３ａ，３４ａが略水平になる位置まで第１コアンダ羽根３３及び第２コアンダ羽根３４を回動させて、第１コアンダ羽根３３及び第２コアンダ羽根３４に第３姿勢を採らせる。これにより、水平羽根３１で前方下吹きに調整された吹出空気は、コアンダ効果によって第１コアンダ羽根３３及び第２コアンダ羽根３４の外側面３３ａ，３４ａに付着した流れとなり、外側面３３ａ，３４ａに沿ったコアンダ気流に変わる。
【００７４】
したがって、図６Ｄに示すように、水平羽根３１の前方端Ｅ１における接線Ｌ１方向が前方下吹きであっても、第１コアンダ羽根３３及び第２コアンダ羽根３４の前方端Ｅ２における接線Ｌ２方向が水平であるので、吹出空気は、コアンダ効果によって第１コアンダ羽根３３及び第２コアンダ羽根３４の外側面３３ａ，３４ａの前方端Ｅ２における接線Ｌ２方向、すなわち水平方向に吹き出される。
【００７５】
このように、コアンダ気流前方吹きでは、第１コアンダ羽根３３及び第２コアンダ羽根３４の上端部が前面パネル１１ｂから離れて傾斜が緩やかになり、吹出空気が前面パネル１１ｂよりも前方でコアンダ効果を受け易くなる。その結果、水平羽根３１で風向調節された吹出空気が前方下吹きであっても、コアンダ効果によって水平吹きの空気となる。
【００７６】
（３−２−３）一部天井吹き
ユーザーによって「一部天井吹き」が選択されたとき、制御部４０は水平羽根３１の内側面３１ｂが略水平になるまで水平羽根３１を回動させる。次に、制御部４０は、第１コアンダ羽根３３を回動させて、第１コアンダ羽根３３に第２姿勢を採らせる。このとき、第２コアンダ羽根３４は、回動されずに、収容部６０に収容された第１姿勢を採っている。これにより、水平羽根３１で水平吹きに調整された吹出空気の一部は、コアンダ効果によって第１コアンダ羽根３３の外側面３３ａに付着した流れとなり、外側面３３ａに沿ったコアンダ気流に変わる。一方で、水平羽根３１で水平吹きに調整された吹出空気の残りは、第２コアンダ羽根３４の外側面３４ａに付着した流れになることができないため、外側面３４ａに沿ったコアンダ気流にも変わらない。
【００７７】
したがって、水平羽根３１の前方端Ｅ１における接線Ｌ１方向が前方吹きであっても、第１コアンダ羽根３３の前方端Ｅ２における接線Ｌ２方向が前方上吹きであるので、吹出空気の一部は、コアンダ効果によって第１コアンダ羽根３３の外側面３３ａの前方端Ｅ２における接線Ｌ２方向、すなわち天井方向に吹き出される。一方で、吹出空気の残りは、第２コアンダ羽根３４の外側面３４ａに沿ったコアンダ気流にならないため、水平羽根３１の前方端Ｅ１における接線Ｌ１方向に、すなわち、水平羽根３１の内側面３１ｂに沿った前方に吹き出される。
【００７８】
このように、一部天井吹きでは、天井方向に向かう風向きと、前方に向かう風向きとを、同時に形成することができる。
【００７９】
（３−２−４）除湿能力向上吹き
図７は、除湿能力向上吹きが実行されている空調室内機１０の吹出口１５の近傍部分の側面図である。
【００８０】
ユーザーによって「除湿能力向上吹き」が選択されたとき、制御部４０は水平羽根３１の内側面３１ｂが略水平になるまで水平羽根３１を回動させる。次に、制御部４０は、第１コアンダ羽根３３を回動させて、第１コアンダ羽根３３に第５姿勢を採らせる。このとき、第２コアンダ羽根３４は、回動されずに、収容部に収容された第１姿勢を採っている。これにより、水平羽根３１で水平吹きに調整された吹出空気の一部は、コアンダ効果によって第１コアンダ羽根３３の外側面３３ａに付着した流れとなり、外側面３３ａに沿ったコアンダ気流に変わる。一方で、水平羽根３１で水平吹きに調整された吹出空気の残りは、第２コアンダ羽根３４の外側面３４ａに付着した流れになることができないため、外側面３４ａに沿ったコアンダ気流にも変わらない。
【００８１】
したがって、水平羽根３１の前方端Ｅ１における接線Ｌ１方向が前方吹きであっても、第１コアンダ羽根３３の前方端Ｅ２における接線Ｌ２方向が上吹きであるので、吹出空気の一部は、コアンダ効果によって第１コアンダ羽根３３の外側面３３ａの前方端Ｅ２における接線Ｌ２方向、すなわち上方向に吹き出される（図６Ｆ参照）。そして、コアンダ効果によって上方向に吹き出された吹出空気の一部は、吹出口１５よりも上方にある吸込口１９近傍に導かれることで、吸込口１９から本体ケーシング１１内に吸い込まれる。一方で、吹出空気の残りは、第２コアンダ羽根３４の外側面３４ａに沿ったコアンダ気流にならないため、水平羽根３１の前方端Ｅ１における接線Ｌ１方向に、すなわち、水平羽根３１の内側面３１ｂに沿った前方に吹き出される。
【００８２】
このように、除湿能力向上吹きでは、吸込口１９近傍に向かう風向きと、前方に向かう風向きとを、同時に形成することができる。このため、吹出空気の一部をショートサーキットさせて除湿能力を向上させつつ、前方に吹き出された吹出空気により室内の空気を循環させることができる。
【００８３】
（３−３）下吹きモード
ユーザーによって「下吹き」が選択されたとき、制御部４０は水平羽根３１の内側面３１ｂが下向きなるまで水平羽根３１を回動させる（図６Ｅ参照）。次に、制御部４０は、第１コアンダ羽根３３及び第２コアンダ羽根３４の外側面３３ａ，３４ａが下向きとなるまで第１コアンダ羽根３３及び第２コアンダ羽根３４を回動させる（図６Ｅ参照）。その結果、吹出空気は、水平羽根３１と第１コアンダ羽根３３及び第２コアンダ羽根３４との間を通過し、下向きに吹き出される。
【００８４】
特に、水平羽根３１が、スクロール面１７の終端Ｆの接線Ｌ０よりも下向きの角度になったときでも、制御部４０が下吹きモードを実行することによって、第１コアンダ羽根３３及び第２コアンダ羽根３４の外側面３３ａ，３４ａに当てて下向きの気流を生成することができる。
【００８５】
（４）特徴
（４−１）
本実施形態では、第１コアンダ羽根３３及び第２コアンダ羽根３４と、水平羽根３１とが共同して、吹出空気をコアンダ効果により外側面３３ａ，３４ａに沿ったコアンダ気流にしている。また、制御部４０は、コアンダ気流利用モードの「一部天井吹き」や「除湿能力向上吹き」において、第１コアンダ羽根３３、第２コアンダ羽根３４及び水平羽根３１のそれぞれの姿勢を、吹出空気の一部をコアンダ気流にして、吹出空気の残りをコアンダ気流にしない所定の姿勢に変更することができる。この結果、コアンダ気流を利用した風向きと、コアンダ気流を利用しない風向きとを、同時に形成することができる。
【００８６】
これによって、コアンダ気流利用モードにおいて、吹出空気の全てをコアンダ気流にする風向きのみが形成される空調室内機と比較して、風向きのバリエーションを増やすことができている。
【００８７】
また、「一部天井吹き」を実行することで、コアンダ気流となった吹出空気の一部を室内に循環させて室内全体をムラなく空調しつつ、ユーザーに適度なドラフト感を与えることができる。
【００８８】
（４−２）
本実施形態では、第１コアンダ羽根３３及び第２コアンダ羽根３４がそれぞれ独立して駆動されるため、吹出口１５の長手方向（吹出空気の幅方向）に隣接しており、長手方向に分割された第１コアンダ羽根３３及び第２コアンダ羽根３４に異なる姿勢を採らせることができる。このため、第１コアンダ羽根３３及び水平羽根３１の相対角度と第２コアンダ羽根３４及び水平羽根３１の相対角度とを異なる角度にすることができる。したがって、水平羽根３１及び第１コアンダ羽根３３の相対角度がコアンダ気流の発生する前記所定角度以下の角度となり、水平羽根３１及び第２コアンダ羽根３４の相対角度がコアンダ気流の発生しない前記所定角度より大きい角度となるように、水平羽根３１、第１コアンダ羽根３３及び第２コアンダ羽根３４のそれぞれの姿勢を設定することで、吹出空気の一部をコアンダ気流にし、吹出空気の残りをコアンダ気流にしないようにすることができる。
【００８９】
そして、本実施形態では、「一部天井吹き」において、水平羽根３１の内側面３１ｂの前方端Ｅ１における接線Ｌ１が略水平になる姿勢を水平羽根３１に採らせ、水平羽根３１との相対角度が前記所定角度以下の角度となるように第１コアンダ羽根３３に第２姿勢を採らせ、かつ、水平羽根３１との相対角度が前記所定角度より大きい角度となるように第２コアンダ羽根３４に第１姿勢を採らせることで、水平羽根３１で水平吹きに調整された吹出空気の一部を、第１コアンダ羽根３３の外側面３３ａに沿ったコアンダ気流にし、吹出空気の残りをコアンダ気流にしないようにすることができる。この結果、コアンダ気流を利用した天井方向に向かう風向きと、コアンダ気流を利用しない前方に向かう風向きとを、同時に形成することができている。
【００９０】
また、「除湿能力向上吹き」において、水平羽根３１の内側面３１ｂの前方端Ｅ１における接線Ｌ１が略水平になる姿勢を水平羽根３１に採らせ、水平羽根３１との相対角度が前記所定角度以下の角度となるように第１コアンダ羽根３３に第５姿勢を採らせ、かつ、水平羽根３１との相対角度が前記所定角度より大きい角度となるように第２コアンダ羽根３４に第１姿勢を採らせることで、水平羽根３１で水平吹きに調整された吹出空気の一部を、第１コアンダ羽根３３の外側面３３ａに沿ったコアンダ気流にし、吹出空気の残りをコアンダ気流にしないようにすることができている。この結果、コアンダ気流を利用した上方向に向かう風向きと、コアンダ気流を利用しない前方に向かう風向きとを、同時に形成することができている。
【００９１】
（４−３）
本実施形態では、「除湿能力向上吹き」において、第１コアンダ羽根３３の外側面３３ａに沿ったコアンダ気流になった吹出空気の一部は、吸込口１９近傍に導かれることで、吸込口１９から吸い込まれる。一方で、第２コアンダ羽根３４の外側面３４ａに沿ったコアンダ気流にならなかった吹出空気の残りは、水平羽根３１の内側面３１ｂに沿って前方に吹き出される。このように、「除湿能力向上吹き」では、吹出空気の一部だけをショートサーキットさせることができるため、ショートサーキットさせた吹出空気の一部で除湿能力を向上させつつ、吹出空気の残りで室内の空調を行うことができている。
【００９２】
（５）変形例
（５−１）変形例１Ａ
上記実施形態では、コアンダ気流利用モードの「一部天井吹き」や「除湿能力向上吹き」では、第１コアンダ羽根３３が回動して所定の姿勢を採り、第２コアンダ羽根３４は回動せずに第１姿勢を採っているが、吹出空気の一部がコアンダ気流となり、吹出空気の残りがコアンダ気流とならないのであれば、これに限定されるものではない。
【００９３】
例えば、第２コアンダ羽根３４が回動して所定の姿勢を採り、第１コアンダ羽根３３が回動せずに第１姿勢を採ってもよい。また、第１コアンダ羽根３３又は第２コアンダ羽根３４のいずれのコアンダ羽根が回動するのかを、ユーザーがリモコン等によって設定できてもよい。
【００９４】
（５−２）変形例１Ｂ
上記実施形態では、各モードにおいて、第１コアンダ羽根３３、第２コアンダ羽根３４及び水平羽根３１が、それぞれ所定の姿勢で固定されている。これに加えて、各モードにおいて、各モードの風向きが形成されるように、第１コアンダ羽根３３、第２コアンダ羽根３４及び／又は水平羽根３１を、所定範囲内でスイングさせてもよい。このように、第１コアンダ羽根３３、第２コアンダ羽根３４及び／又は水平羽根３１をスイングさせることで、上記実施形態と比較して、風向きのバリエーションを増やすことができる。
【００９５】
また、上記実施形態の「コアンダ気流天井吹き」および「コアンダ気流前方吹き」では、第１コアンダ羽根３３及び第２コアンダ羽根３４が同じ姿勢を採っている。これに加えて、「コアンダ気流天井吹き」および「コアンダ気流前方吹き」において、第１コアンダ羽根３３及び水平羽根３１の相対角度が前記所定角度以下の角度となり、かつ、第２コアンダ羽根３４及び水平羽根３１の相対角度が前記所定角度以下の角度となるのであれば、第１コアンダ羽根３３と第２コアンダ羽根とを異なる姿勢で固定してもよい。このように、「コアンダ気流天井吹き」や「コアンダ気流前方吹き」において、第１コアンダ羽根３３と第２コアンダ羽根とを異なる姿勢で固定することで、上記実施形態と比較して、風向きのバリエーションをさらに増やすことができる。
【００９６】
（５−３）変形例１Ｃ
上記実施形態では、コアンダ羽根３２が、２つに分割されている。これに代えて、コアンダ羽根が、長手方向に３以上に分割されていてもよい。複数に分割されたコアンダ羽根がそれぞれ独立駆動可能であれば、上記実施形態と比較して、風向きのバリエーションをさらに増やすことができる。
【００９７】
（５−４）変形例１Ｄ
上記実施形態では、「除湿能力向上吹き」において、吹出空気の一部を第１コアンダ羽根３３の外側面３３ａに沿ったコアンダ気流にしてショートサーキットさせ、吹出空気の残りを第２コアンダ羽根３４の外側面３４ａに沿ったコアンダ気流にしないで水平羽根３１の内側面３１ｂに沿った方向に（前方に）吹き出させている。
【００９８】
これに代えて、吹出空気の一部がショートサーキットするのであれば、「除湿能力向上吹き」において、第１コアンダ羽根３３及び第２コアンダ羽根３４の外側面３３ａ，３４ａに沿ったコアンダ気流が発生するように水平羽根３１、第１コアンダ羽根３３及び第２コアンダ羽根３４の姿勢が設定されていてもよい。
【００９９】
また、コアンダ羽根の外側面に沿ったコアンダ気流が発生するか否かは、主に、水平羽根及びコアンダ羽根の相対角度によって決まるため、例えば、水平羽根に所定の姿勢を採らせることで、コアンダ羽根が収容部に収容されていてもコアンダ気流が発生するように、空調室内機を設計することもできる。例えば、図８に示す空調室内機１１０のように、水平羽根３１の採る所定の姿勢に対して、第１コアンダ羽根３３に水平羽根３１との相対角度が前記所定角度以下の角度となる姿勢であって、かつ、前方上向きに傾斜した姿勢を採らせ、第２コアンダ羽根３４に収容部６０に収容された姿勢を採らせることで、吹出空気の全てを、第１コアンダ羽根３３の外側面３３ａ及び第２コアンダ羽根３４の外側面３４ａに沿ったコアンダ気流にすることができる。このとき、第１コアンダ羽根３３の外側面３３ａに沿ったコアンダ気流になった吹出空気の一部は、天井方向に向かって吹き出される。一方で、第２コアンダ羽根３４の外側面３４ａに沿ったコアンダ気流になった吹出空気の残りは、前面パネル１１ｂを経て吸込口１９に導かれる。
【０１００】
このように、吹出空気の全てをコアンダ気流にしても、吸込口１９に向かう風向きと、天井方向に向かう風向きとを、同時に形成することができる。そして、吹出空気の一部をショートサーキットさせて除湿能力を向上させつつ、天井方向に吹き出された残りの吹出空気により室内の空気を循環させることもできる。
【０１０１】
（５−５）変形例１Ｅ
上記実施形態では、水平羽根３１は１つの板状の部材であり、コアンダ羽根３２が長手方向に２つに分割されている。
【０１０２】
これに代えて、コアンダ羽根が１つの板状の部材であり、水平羽根が長手方向に複数に分割されていてもよい。例えば、図９に示すように、水平羽根が長手方向に２つに分割されている空調室内機２１０について以下に説明する。なお、以下の説明において、上記実施形態と同様の構成の部品については、同様の符号を用いている。
【０１０３】
コアンダ羽根２３２が１つの板状の部材であり、水平羽根２３１が、長手方向（左右方向）に隣接する第１水平羽根２３５と第２水平羽根２３６とを含む場合には、制御部が第１水平羽根２３５及び第２水平羽根２３６を独立して駆動させることで、第１水平羽根２３５及び第２水平羽根２３６に、それぞれ異なる姿勢を採らせることができる。このため、例えば、所定の姿勢を採るコアンダ羽根２３２に対して、コアンダ羽根２３２の外側面２３２ａに沿ったコアンダ気流が発生する姿勢を第１水平羽根２３５に採らせ、すなわち、コアンダ羽根２３２及び第１水平羽根２３５の相対角度が前記所定角度以下の角度となる姿勢を第１水平羽根２３５に採らせ、かつ、コアンダ羽根２３２の外側面２３２ａに沿ったコアンダ気流が発生しない姿勢を第２水平羽根２３６に採らせ、すなわち、コアンダ羽根２３２及び第２水平羽根２３６の相対角度が前記所定角度より大きい角度となる姿勢を第１水平羽根２３５に採らせることで、第１水平羽根２３５の内側面２３５ｂに風向きが調整された吹出空気の一部は、コアンダ羽根２３２の外側面２３２ａに沿ったコアンダ気流となるが、第２水平羽根２３６の内側面２３６ｂに風向きが調整された吹出空気の残りは、コアンダ羽根２３２の外側面２３２ａに沿ったコアンダ気流にならないようにすることができる。この結果、吹出空気の風向きは、その一部が、第１水平羽根２３５によって変更された後コアンダ効果により変更され、残りは、第２水平羽根２３６によって変更された後コアンダ効果により変更されないためにそのまま維持される。これにより、コアンダ気流を利用した風向きと、コアンダ気流を利用しない風向き（第２水平羽根２３６によって変更された風向き）とを、同時に形成することができる。
【０１０４】
また、図９では、コアンダ羽根２３２の外側面２３２ａの一部でコアンダ気流になった吹出空気の一部がショートサーキットしている様子を描いているが、第１水平羽根２３５、第２水平羽根２３６及びコアンダ羽根２３２の姿勢を調整することで、コアンダ気流の向かう方向を調整することができる。
【０１０５】
また、コアンダ羽根が長手方向に複数に（２以上に）分割されており、かつ、水平羽根が長手方向に複数に（２以上に）分割されており、各コアンダ羽根及び各水平羽根が独立駆動される構成であってもよい。
【０１０６】
例えば、第１コアンダ羽根と、第１コアンダ羽根の長手方向に隣接する第２コアンダ羽根と、第１コアンダ羽根に対向する第１水平羽根と、第２コアンダ羽根に対向しており第１水平羽根の長手方向に隣接する第２コアンダ羽根とを備える空調室内機であれば、第１コアンダ羽根及び第２コアンダ羽根に異なる姿勢を採らせ、かつ、第１水平羽根及び第２水平羽根にそれぞれ異なる姿勢を採らせることで、第１水平羽根及び第１コアンダ羽根の相対角度と、第２水平羽根及び第２コアンダ羽根の相対角度とを、異なる角度にすることができる。なお、第１コアンダ羽根、第２コアンダ羽根、第１水平羽根及び第２水平羽根がそれぞれ独立駆動されるため、第１コアンダ羽根及び第２コアンダ羽根に同じ姿勢と採らせたり、第１水平羽根及び第２水平羽根に同じ姿勢を採らせたりすることもできる。したがって、上記実施形態と比較して、風向きのバリエーションを更に増やすことができる。
【０１０７】
さらに、コアンダ羽根及び／又は水平羽根が、それぞれ、長手方向に３つ以上に分割されており、分割されたコアンダ羽根及び／又は水平羽根が、それぞれ独立して駆動される場合には、例えば、吹出口の中央部分から吹き出される吹出空気の一部をコアンダ気流にし、吹出口の両端部分から吹き出される吹出空気の残りをコアンダ気流にしないようにすることもできる。そうすると、例えば、吹出口の中央部分から吹き出された吹出空気の一部を天井に向かうコアンダ気流にして、吹出口の両端部分から吹き出された吹出空気の残りを水平羽根の内側面に沿った気流にすることで、吹出空気全体で包み込むような気流を形成することができる。
【０１０８】
（５−６）変形例１Ｆ
上記実施形態では、第１コアンダ羽根３３及び第２コアンダ羽根３４の長手方向の寸法の合計と、空調室内機１０の長手方向の寸法とが略同一であり、第１コアンダ羽根３３及び第２コアンダ羽根３４の長手方向の寸法を合計すると、吹出口１５の長手方向の寸法よりも大きくなるように、設計されている。
【０１０９】
しかしながら、吹出空気の風向きとして、同時に複数の風向きを形成することができるのであれば、コアンダ羽根の構成はこれに限定されない。
【０１１０】
例えば、吹出口の長手方向の寸法よりも短い寸法のコアンダ羽根が１枚だけ設けられていてもよい。吹出口の長手方向とコアンダ羽根の長手方向とが平行になるように設計されている空調室内機であれば、コアンダ羽根の長手方向の寸法が吹出口の長手方向の寸法よりも短いと、吹出口から吹き出された吹出空気に対して、コアンダ羽根のある部分ではコアンダ羽根の外側面に沿ったコアンダ気流が発生するが、コアンダ羽根のない部分ではコアンダ羽根の外側面に沿ったコアンダ気流が発生しないことになる。したがって、吹出口の長手方向の寸法よりも長手方向の寸法が短いコアンダ羽根を備える空調室内機では、吹出口から吹き出される吹出空気の一部を、コアンダ羽根の外側面に沿ったコアンダ気流にし、吹出空気の残りをコアンダ羽根の外側面に沿ったコアンダ気流にしないようにすることができるため、コアンダ気流を利用した風向きと、コアンダ気流を利用しない風向きとを同時に形成することができる。
【０１１１】
このような空調室内機の例として、コアンダ羽根３３２が空調室内機３１０の正面視中央下部であって吹出口１５の上端部より上方に位置している場合について以下に説明する。なお、以下の説明において、上記実施形態と同様の構成の部品については、同様の符号を用いている。
【０１１２】
コアンダ羽根３３２が空調室内機３１０の正面視中央下部であって吹出口１５の上端部より上方に位置している空調室内機３１０において、コアンダ羽根３３２及び水平羽根３１の相対角度がコアンダ羽根３３２の外側面３３２ａに沿ったコアンダ気流が発生する前記所定角度以下の角度となり、前面パネル３１１ｂの表面と水平羽根３１との相対角度が前面パネル３１１ｂの表面に沿った気流が発生しない前記所定角度より大きい角度となるように、コアンダ羽根３３２及び水平羽根３１の姿勢を設定することで、図１０に示すように、水平羽根３１の内側面３１ｂによって調整された吹出空気のうち、一部の吹出空気だけを、コアンダ羽根３３２の外側面３３２ａに沿ったコアンダ気流にし、残りの吹出空気を、コアンダ羽根３３２の外側面３３２ａや前面パネル３１１ｂに沿った気流にしないようにすることができる。この結果、コアンダ気流を利用した風向きと、コアンダ気流を利用しない風向きとを同時に形成することができる。
【０１１３】
なお、図１０では、コアンダ羽根３３２の外側面３３２ａに沿ったコアンダ気流となった吹出空気の一部が、吸込口１９近傍に導かれて、吸込口１９から吸い込まれており、コアンダ羽根３３２や前面パネル３１１ｂに沿ったコアンダ気流にならなかった吹出空気の残りが水平羽根３１の内側面３１ｂに沿った風向きとなっているところを描いているが、コアンダ羽根３３２や水平羽根３１の姿勢を調整することで、コアンダ気流の向かう方向を調整することができる。例えば、コアンダ羽根３３２及び水平羽根３１の姿勢を調整することで、吹出口１５の中央部分から吹き出された吹出空気の一部をコアンダ気流にして天井方向に向かう風向きにし、吹出口１５の両端部分から吹き出された吹出空気の残りを水平羽根３１の内側面３１ｂに沿った風向きにすることもできる。このように、吹出口１５の中央部分から吹き出された吹出空気の一部をコアンダ気流にして天井方向に向かう風向きにし、吹出口１５の両端部分から吹き出された吹出空気の残りを水平羽根３１の内側面３１ｂに沿った風向きにすることで、吹出空気全体で包み込むような気流を形成することができる。
【０１１４】
また、コアンダ羽根３３２及び水平羽根３１の相対角度がコアンダ羽根３３２の外側面３３２ａに沿ったコアンダ気流が発生する前記所定角度以下の角度となり、前面パネル３１１ｂの表面と水平羽根３１との相対角度が前面パネル３１１ｂの表面に沿った気流が発生する前記所定角度以下の角度となるように、コアンダ羽根３３２及び水平羽根３１の姿勢を設定することで、図１１に示すように、水平羽根３１の内側面３１ｂによって調整された吹出空気のうち、一部の吹出空気を、コアンダ羽根３３２の外側面３３２ａに沿ったコアンダ気流にし、残りの吹出空気を、前面パネル３１１ｂの表面に沿った気流にすることもできる。
【０１１５】
なお、図１１では、コアンダ羽根３３２の外側面３３２ａに沿ったコアンダ気流となった吹出空気の一部は、吸込口１９近傍には導かれずに、天井方向に向かう風向きとなり、前面パネル３１１ｂの表面に沿った気流となった吹出空気の残りが、吸込口１９近傍に導かれて、吸込口１９から吸い込まれているところを描いているが、水平羽根３１の姿勢を調整することで、吹出空気が前面パネル３１１ｂの表面に沿った気流とならないよいにすることもできる。
【０１１６】
このように、コアンダ羽根３３２が空調室内機３１０の正面視中央下部であって吹出口１５の上端部より上方に位置している空調室内機３１０において、コアンダ羽根３３２及び水平羽根３１の姿勢をそれぞれ調整することで、コアンダ気流を利用した風向きと、コアンダ気流を利用しない風向きとを、同時に形成することができるため、様々なバリエーションの風向きを形成することができる。また、コアンダ気流が吸込口１９近傍に導かれるようにして吹出空気の一部をショートサーキットさせ、吹出空気の残りを前方に向かう風向きにすることで、除湿能力を向上させつつ、室内の空気を攪拌することができる。
【０１１７】
なお、図１０及び図１１では、符号３６０は、前面パネル３１１ｂに設けられており、コアンダ羽根３３２を収容可能な収容部を示している。
【０１１８】
＜第２実施形態＞
以下に、本発明の第２実施形態に係る空調室内機４１０について説明する。
【０１１９】
（１）空調室内機の構成
図１２は、本発明の第２実施形態に係るコアンダ気流利用モード実行時の空調室内機４１０の斜視図である。図１３は、コアンダ気流利用モード実行時の空調室内機４１０を下側から視た図である。
【０１２０】
空調室内機４１０は、室内の壁面に取り付けられる壁掛け型の空調室内機であり、本体ケーシング１１、室内熱交換器、室内ファン、底フレーム、及び制御部を備えている。なお、第２実施形態の空調室内機４１０において、コアンダ羽根４３２の構成以外の部品については、第１実施形態と同様の構成であるため、以下の説明では、第１実施形態と同様の符号を用いて説明するが、各部品の説明は省略する。
【０１２１】
（２）コアンダ羽根
コアンダ羽根４３２は、図１２に示すように、分割されていない１つの板状の部材であり、コアンダ羽根４３２の長手方向の寸法が、水平羽根３１の長手方向の寸法以上となるように、設計されている。また、コアンダ羽根４３２は、水平羽根３１と共同して、吹出空気を、コアンダ効果によりコアンダ羽根４３２の外側面４３２ａに沿ったコアンダ気流にすることができる。
【０１２２】
コアンダ羽根４３２は、空調運転が停止している間や通常吹出モードでの運転では収容部６０に収納されている。
【０１２３】
また、コアンダ羽根４３２は、回動することによって収容部６０から離れて、前後方向に傾斜した姿勢を採る。コアンダ羽根４３２の回動軸は、収容部６０の下端近傍で且つ本体ケーシング１１の内側の位置（吹出流路上壁の上方の位置）に設けられており、コアンダ羽根４３２の下端部と回動軸とは所定の間隔を保って連結されている。それゆえ、回動軸が回動してコアンダ羽根４３２の上端部が前面パネル１１ｂの収容部６０から離れるほど、コアンダ羽根４３２の下端の高さ位置は低くなるように回転する。また、コアンダ羽根４３２が回動して開いたときの傾斜は、前面パネル１１ｂの傾斜よりも緩やかである。
【０１２４】
また、回動軸が所定方向に回動することによって、コアンダ羽根４３２の上端部および下端部ともに円弧を描きながら収容部６０から離れるが、そのとき、コアンダ羽根４３２の上端部と収容部６０との最短距離は、コアンダ羽根４３２の下端部と収容部６０との最短距離より大きい。そして、回動軸が所定方向とは反対方向に回動することによって、コアンダ羽根４３２は収容部６０に近づき、最終的に収容部６０収容される。
【０１２５】
なお、コアンダ羽根４３２の姿勢には、収容部６０に収納された姿勢、回転して前方上向きに傾斜した姿勢、さらに回転してほぼ水平な姿勢、さらに回転して前方下向きに傾斜した姿勢等が含まれる。
【０１２６】
また、コアンダ羽根４３２の外側面４３２ａは、コアンダ羽根４３２が収容部６０に収容された状態で、前面パネル１１ｂのなだらかな円弧曲面の延長上にあるような外側に凸のなだらかな円弧曲面に仕上げられている。また、コアンダ羽根４３２の内側面は、収容部６０の表面に沿うような円弧曲面に仕上げられている。
【０１２７】
なお、本実施形態では、コアンダ羽根４３２の外側面４３２ａが円弧曲面を成しているが、コアンダ羽根４３２の外側面が平面であってもよい。
【０１２８】
（３）吹出空気の方向制御
図１４は、空調室内機４１０の通常吹出モードの一例を示す図であって、（ａ）、（ｂ）、（ｃ）は、それぞれ、空調室内機４１０の正面図、側面図、コアンダ羽根４３２の外側面４３２ａにおける吹出空気の流れを示す図である。図１５及び図１６は、空調室内機４１０のコアンダ気流利用モードの一例を示す図であって、（ａ）、（ｂ）、（ｃ）は、それぞれ、空調室内機４１０の正面図、側面図、コアンダ羽根４３２の外側面４３２ａにおける吹出空気の流れを示す図である。
【０１２９】
空調室内機４１０は、吹出空気の方向を制御する手段として、水平羽根３１のみを回動させて吹出空気の方向を調整する通常吹出モードと、コアンダ羽根４３２と水平羽根３１とを回動させてコアンダ効果によって吹出空気の少なくとも一部をコアンダ羽根４３２の外側面４３２ａに沿ったコアンダ気流にするコアンダ気流利用モードと、水平羽根３１及びコアンダ羽根４３２のそれぞれの先端を前方下向きにして吹出空気を下方に導く下吹きモードと、を有している。
【０１３０】
また、水平羽根３１及びコアンダ羽根４３２は、上記各モードにおいて、空気の吹出方向ごとに、その姿勢が変化する。上記各モードにおける水平羽根３１及びコアンダ羽根４３２の姿勢は、予め設定されており、制御部の有する記憶部（図示せず）に記憶されている。
【０１３１】
なお、吹出方向の選択は、ユーザーがリモコン等を介して行なうことができるものとする。また、モードの変更や吹出方向は自動的に変更されるように制御することも可能である。
【０１３２】
（３−１）通常吹出モード
通常吹出モードは、水平羽根３１のみを回動させて吹出空気の方向を調整するモードである（図１４参照）。なお、通常吹出モードにおける制御部による制御は、第１実施形態と同様であるため、ここでは説明を省略する。
【０１３３】
（３−２）コアンダ気流利用モード
第１実施形態でも説明したように、吹出空気をコアンダ羽根４３２の外側面４３２ａに沿ったコアンダ気流にするためには、コアンダ羽根４３２及び水平羽根３１の相対角度を前記所定角度以下の角度にする必要がある。
【０１３４】
ところで、垂直羽根２０の姿勢を固定した状態で、コアンダ羽根４３２及び水平羽根３１の相対角度を、前記所定角度よりも小さい角度から徐々に大きくしていくと、コアンダ羽根４３２の外側面４３２ａ全域で安定したコアンダ気流になっていた吹出空気（図１５参照）が、コアンダ羽根４３２の外側面４３２ａの一部ではコアンダ気流になるがコアンダ羽根４３２の外側面４３２ａの他部ではコアンダ気流にならない不安定な気流になり（図１６参照）、さらにコアンダ羽根４３２及び水平羽根３１の相対角度を大きくしていくと、コアンダ羽根４３２の外側面４３２ａではコアンダ気流にはならずに水平羽根３１の内側面３１ｂに沿った気流になる（図１４参照）。
【０１３５】
このことから、コアンダ気流の状態によって、コアンダ羽根４３２及び水平羽根３１の相対角度の角度範囲を、コアンダ羽根４３２の外側面４３２ａ全域で安定したコアンダ気流が発生する状態（以下、第１気流状態という）となる角度範囲（以下、第１角度範囲という）と、コアンダ羽根４３２の外側面４３２ａの一部（中央部）ではコアンダ気流が発生するけれども、コアンダ羽根４３２の外側面４３２ａの他部（両側端部４３２ｃ、４３２ｃ）ではコアンダ気流が発生しておらず不安定な気流になる状態（以下、第３気流状態という）となる角度範囲（以下、第３角度範囲という）と、コアンダ羽根４３２の外側面４３２ａではコアンダ気流が全く発生しない状態（以下、第２気流状態という）となる角度範囲（以下、第２角度範囲という）と、に分けることができる。
【０１３６】
より詳しくは、コアンダ羽根４３２及び水平羽根３１の姿勢の組合せ（羽根角度組合せ）と、吹出空気との関係を説明するための図である図１７を用いて説明する。
【０１３７】
なお、図１７において、θ１は、垂直羽根２０を、吹出口１５から正面方向に吹出空気が吹き出される姿勢（以下、正面吹き姿勢という）に固定した状態で、第３気流状態から第１気流状態に変化したときのコアンダ羽根４３２及び水平羽根３１の羽根角度組合せを示しており、θ２は、垂直羽根２０を正面吹き姿勢に固定した状態で、第１気流状態から第３気流状態に変化したときのコアンダ羽根４３２及び水平羽根３１の羽根角度組合せを示しており、θ３は、垂直羽根２０を正面吹き姿勢に固定した状態で、第２気流状態から第３気流状態に変化したときのコアンダ羽根４３２及び水平羽根３１の羽根角度組合せを示しており、θ４は、垂直羽根２０を正面吹き姿勢に固定した状態で、第３気流状態から第２気流状態に変化したときのコアンダ羽根４３２及び水平羽根３１の羽根角度組合せを示している。また、図１７に示す水平羽根３１の羽根角度θｈとは、図１８に示すように、水平羽根３１の外側面３１ａの前後端を結ぶ直線Ｌｈと、水平線との角度のことである。そして、図１７に示すコアンダ羽根４３２の羽根角度θｃとは、コアンダ羽根４３２の外側面４３２ａの前後端を結ぶ直線Ｌｃと、水平線との角度のことである。ここで、羽根角度θｈ及び羽根角度θｃは絶対値ではなく、水平線よりも下方となる場合は負の値である。そして、水平羽根３１及びコアンダ羽根４３２の開き角度（相対角度）θは、式：θ＝θｃ−θｈで表すことができる。なお、図１７は、室内ファン１４の風量を変化させずに所定の風量に固定して、コアンダ羽根４３２に対する水平羽根３１の羽根角度（姿勢）を変更することで、評価試験を行った結果である。
【０１３８】
例えば、垂直羽根２０を正面吹き姿勢で固定し、かつ、コアンダ羽根４３２の羽根角度θｃを２５度に固定した場合、水平羽根３１の羽根角度θｈを−１５度以下に（０度から遠ざかるように）すれば、第２気流状態になる。また、例えば、垂直羽根２０を正面吹き姿勢で固定し、かつ、コアンダ羽根４３２の羽根角度θｃを２５度に固定した場合、水平羽根３１の羽根角度θｈを−９度以上に（０度に近くなるように）すれば、第１気流状態になる。さらに、コアンダ羽根４３２の羽根角度θｃを２５度に固定した場合、水平羽根３１の羽根角度θｈを−１１度や−１２度にすれば、第３気流状態になる。
【０１３９】
このように、垂直羽根２０の姿勢が正面吹き姿勢である場合、コアンダ羽根４３２及び水平羽根３１の羽根角度組合せとして、第１気流状態となる羽根角度組合せ領域（図１７に示す羽根角度組合せθ１よりもコアンダ羽根４３２及び水平羽根３１の相対角度が小さい羽根角度組合せ領域、以下、第１領域という）と、第２気流状態となる羽根角度組合せ領域（図１７に示す羽根角度組合せθ４よりもコアンダ羽根４３２及び水平羽根３１の相対角度が大きい羽根角度組合せ領域、以下、第２領域という）と、の間に、第３気流状態となる羽根角度組合せ領域（図１７に示す羽根角度組合せθ１と羽根角度組合せθ４との間に挟まれる羽根角度組合せ領域、以下、第３領域という）が存在する。
【０１４０】
そして、コアンダ羽根４３２及び水平羽根３１の相対角度が第１角度範囲の所定角度にある羽根角度組合せは、第１領域に含まれ、コアンダ羽根４３２及び水平羽根３１の相対角度が第２角度範囲の所定角度にある羽根角度組合せは、第２領域に含まれ、コアンダ羽根４３２及び水平羽根３１の相対角度が第３角度範囲の所定角度にある羽根角度組合せは、第３領域に含まれる。
【０１４１】
また、第１角度範囲と第２角度範囲との間に第３角度範囲があることから、第１角度範囲の所定角度は第３角度範囲の所定角度よりも小さく、第２角度範囲の所定角度は、第３角度範囲の所定角度よりも大きいといえる。
【０１４２】
なお、「吹出空気がコアンダ羽根４３２の外側面全域でコアンダ気流になっている」状態には、吹出空気がコアンダ羽根４３２の外側面全域に付着した流れになっている状態の他に、例えば、本実施形態のように、コアンダ羽根４３２の長手方向の寸法が吹出口の長手方向の寸法よりも長い場合には、吹出空気がコアンダ羽根４３２の外側面において吹出口と対向する部分全域に付着した流れになっている状態も含まれる。
【０１４３】
また、コアンダ羽根４３２及び水平羽根３１の羽根角度組合せが第３領域にある場合には、コアンダ羽根４３２の外側面４３２ａに沿ったコアンダ気流が発生していても、コアンダ羽根４３２の外側面４３２ａの両端部の気流が中央寄りに偏向した流れになっている（図１５（ｃ）参照）。これは、コアンダ羽根４３２の側方の空気が、コアンダ気流の動圧によって、コアンダ羽根４３２の両端部からコアンダ気流に引き込まれることで、コアンダ羽根４３２の両端部に沿う気流が、側方からの空気に押されて中央部寄りの不安定な気流になっていると考えられる。そして、第３領域にある羽根角度組合せとなる所定の姿勢をコアンダ羽根４３２及び水平羽根３１に採らせることで、図１６に示すように、吹出口１５の両端部近傍から吹き出された吹出空気の一部が水平羽根３１の内側面３１ｂに沿った気流になる。
【０１４４】
さらに、例えば、垂直羽根２０を正面吹き姿勢で固定し、かつ、コアンダ羽根４３２の羽根角度θｃを２５度に固定した状態で、水平羽根３１の羽根角度θｈを−１２度から徐々に大きく（０度に近くなるように）していくと、水平羽根３１の羽根角度θｈが−９度になったときに、第３気流状態から第１気流状態に切り換わる。一方で、垂直羽根２０を正面吹き姿勢で固定し、かつ、コアンダ羽根４３２の羽根角度θｃを２５度に固定した状態で、水平羽根３１の羽根角度θｈを−８度から徐々に小さく（０度から遠ざかるように）していくと、水平羽根３１の羽根角度θｈが−１０度になったときに、第１気流状態から第３気流状態に切り換わる。
【０１４５】
また、例えば、垂直羽根２０を正面吹き姿勢で固定し、かつ、コアンダ羽根４３２の羽根角度θｃを２５度に固定した状態で、水平羽根３１の羽根角度θｈを−２０度から徐々に大きく（０度に近くなるように）していくと、水平羽根３１の羽根角度θｈが−１３度になったときに、第２気流状態から第３気流状態に切り換わる。一方で、垂直羽根２０を正面吹き姿勢で固定し、かつ、コアンダ羽根４３２の羽根角度θｃを２５度に固定した状態で、水平羽根３１の羽根角度θｈを−１２度から徐々に小さく（０度から遠ざかるように）していくと、水平羽根３１の羽根角度θｈが−１５度になったときに、第３気流状態から第２気流状態に切り換わる。
【０１４６】
このように、垂直羽根２０が正面吹き姿勢の場合に、第３気流状態から第１気流状態に変化するときの羽根角度組合せθ１の相対角度と、第１気流状態から第３気流状態に変化するときの羽根角度組合せθ２の相対角度とは異なっている。さらに、垂直羽根２０が正面吹き姿勢である場合に、第３気流状態から第２気流状態に変化するときの羽根角度組合せθ４の相対角度と、第２気流状態から第３気流状態に変化するときの羽根角度組合せθ３の相対角度とについても異なっている。言い換えると、コアンダ羽根４３２及び水平羽根３１の相対角度を、第１角度範囲の所定角度から徐々に大きくした場合に第１気流状態から第３気流状態に変化するときの角度と、第３角度範囲の所定角度から徐々に小さくした場合に第３気流状態から第１気流状態に変化するときの角度とが、異なっており、コアンダ羽根４３２及び水平羽根３１の相対角度を、第２角度範囲の所定角度から徐々に小さくした場合に第２気流状態から第３気流状態に変化するときの角度と、第３角度範囲の所定角度から徐々に大きくした場合に第３気流状態から第２気流状態に変化するときの角度と、についても異なっている。
【０１４７】
このことから、垂直羽根２０を正面吹き姿勢で固定した状態において、コアンダ羽根４３２及び水平羽根３１の羽根角度組合せには、第３気流状態から第１気流状態に変化するときの羽根角度組合せθ１と、第１気流状態から第３気流状態に変化するときの羽根角度組合せθ２との間の羽根角度組合せ領域（以下、第４領域という）と、第３気流状態から第２気流状態に変化するときの羽根角度組合せθ４と、第２気流状態から第３気流状態に変化するときの羽根角度組合せθ３との間の羽根角度組合せ領域（以下、第５領域という）とが、ヒステリシス領域であることが判明した。すなわち、第３領域には、第４領域と、第５領域と、羽根角度組合せθ２と羽根角度組合せθ３との間の羽根角度組合せ領域（図１７では、第６領域として示す）と、が含まれることが見出された。
【０１４８】
そこで、コアンダ気流利用モードにおいて、コアンダ羽根４３２の外側面４３２ａ全域で安定したコアンダ気流を発生させる「コアンダ気流天井吹き」や「コアンダ気流前方吹き」では、コアンダ羽根４３２及び水平羽根３１のそれぞれの姿勢を、第１領域にある羽根角度組合となる所定の姿勢に設定することで、吹出空気の全てをコアンダ気流にすることができる。
【０１４９】
一方で、コアンダ気流利用モードにおいて、コアンダ羽根４３２の外側面４３２ａの一部でコアンダ気流を発生させ、他部ではコアンダ気流を発生させない「一部天井吹き」や「除湿能力向上吹き」では、コアンダ羽根４３２及び水平羽根３１のそれぞれの姿勢を、第６領域にある羽根角度組合せとなる所定の姿勢に設定することで、吹出空気の一部をコアンダ気流にし、吹出空気の残りをコアンダ気流にしないようにすることができる。
【０１５０】
これにより、コアンダ気流を利用した風向きのみを形成したり、コアンダ気流を利用した風向きとコアンダ気流を利用しない風向きとを同時に形成したりすることができる。
【０１５１】
（３−３）下吹きモード
下吹きモードは、水平羽根３１及びコアンダ羽根４３２を回動させて吹出空気の方向を調整するモードである。ユーザーによって「下吹き」が選択されたとき、制御部は水平羽根３１の内側面３１ｂが下向きなるまで水平羽根３１を回動させる。次に、制御部は、コアンダ羽根４３２の外側面４３２ａが下向きとなるまでコアンダ羽根４３２を回動させる。その結果、吹出空気は、水平羽根３１とコアンダ羽根４３２との間を通過し、下向きに吹き出される。
【０１５２】
（４）特徴
（４−１）
本実施形態では、コアンダ気流利用モードの「一部天井吹き」や「除湿能力向上吹き」において、コアンダ羽根４３２及び水平羽根３１のそれぞれの姿勢を、第６領域にある羽根角度組合せとなる所定の姿勢に設定することで、コアンダ羽根４３２の外側面４３２ａの一部でコアンダ気流を発生させ他部でコアンダ気流を発生させないようにして、コアンダ気流を利用した風向きと、コアンダ気流を利用しない風向きとを、同時に形成することができる。
【０１５３】
これによって、コアンダ気流利用モードにおいて、吹出空気の全てをコアンダ気流にする風向きのみが形成される空調室内機と比較して、風向きのバリエーションを増やすことができる。
【０１５４】
さらに、コアンダ気流を利用した風向きとコアンダ気流を利用しない風向きとを同時に形成することができるため、上下方向から包み込むような気流を生み出すことができる。
【０１５５】
（４−２）
本実施形態では、コアンダ羽根４３２及び水平羽根３１が２以上に分割されていないため、第１実施形態の空調室内機１０のように、コアンダ羽根４３２を２以上に分割してコアンダ気流を利用した風向きとコアンダ気流を利用しない風向きとを同時に形成したり、或いは、水平羽根３１を２以上に分割してコアンダ気流を利用した風向きとコアンダ気流を利用しない風向きとを同時に形成したりする場合と比較して、空調室内機４１０を低コストで製造することができる。
【０１５６】
また、コアンダ気流を利用した風向きとコアンダ気流を利用しない風向きとが同時に形成される場合に、コアンダ気流が吸込口１９近傍に導かれるようにコアンダ羽根４３２及び水平羽根３１の姿勢を設定しておくことで、コアンダ気流となった吹出空気の一部をショートサーキットさせることができるため、ショートサーキットさせた吹出空気の一部で除湿能力を向上させつつ、吹出空気の残りで室内の空調を行うことができる。
【０１５７】
（５）変形例
（５−１）変形例２Ａ
図１９及び図２０は、空調室内機４１０のコアンダ気流利用モードの一例を示す図であって、（ａ）、（ｂ）、（ｃ）は、それぞれ、空調室内機の正面図、側面図、コアンダ羽根４３２の外側面４３２ａにおける吹出空気の流れを示す図である。
【０１５８】
上記実施形態では、垂直羽根２０の姿勢を、吹出口１５から正面方向に吹出空気が吹き出される正面吹き姿勢に固定して、コアンダ羽根４３２及び水平羽根３１の相対角度が異なるようにコアンダ羽根４３２及び水平羽根３１の姿勢の組合せ変更することで、コアンダ気流を利用した風向きと、コアンダ気流を利用しない風向きとを、同時に形成している。
【０１５９】
これに代えて、コアンダ羽根４３２及び水平羽根３１の姿勢の組合せを変更せずに、垂直羽根２０の姿勢を変更することで、コアンダ気流を利用した風向きと、コアンダ気流を利用しない風向きとを、同時に形成してもよい。
【０１６０】
ここで、吹出口１５から正面方向（前方向）に吹出空気が吹き出される垂直羽根２０の姿勢である正面吹き姿勢に対して、吹出口１５から左右側面方向（正面方向に対する左右両側面方向）に吹出空気が吹き出される垂直羽根２０の姿勢を横吹き姿勢とすると、垂直羽根２０の姿勢が、正面吹き姿勢から横吹き姿勢に変更されることで、吹出口１５の中央部分から吹き出される吹出空気の風速が吹出口１５の両端部から吹き出される吹出空気の風速と比較して遅くなる。すなわち、吹出口１５から左右側面方向に吹出空気が吹き出されている場合には、吹出空気の風速が部分的に低下する。
【０１６１】
そして、コアンダ羽根４３２及び水平羽根３１の相対角度が、垂直羽根２０が正面吹き姿勢を採っているときに、コアンダ羽根４３２の外側面４３２ａ全域で安定したコアンダ気流が発生する角度にあっても、垂直羽根２０の姿勢を横吹き姿勢に切り換えることで、コアンダ羽根４３２の外側面４３２ａの両端部ではコアンダ気流が発生するけれども、コアンダ羽根４３２の外側面４３２ａの中央部分では吹出空気が外側面４３２ａに付着できずにコアンダ気流が発生しない不安定な気流になることがある（図１９参照）。
【０１６２】
さらに、垂直羽根２０の姿勢が横吹き姿勢であるときに、コアンダ羽根４３２の外側面４３２ａの両端部では外側面４３２ａに沿ったコアンダ気流が発生するけれども、コアンダ羽根４３２の外側面４３２ａの中央部分ではコアンダ気流が発生しない不安定な気流が生じているときのコアンダ羽根４３２及び水平羽根３１の相対角度を、徐々に小さくしていくと、垂直羽根２０の姿勢が横吹き姿勢であっても、コアンダ羽根４３２の外側面４３２ａ全域で安定したコアンダ気流が発生する（図２０参照）。
【０１６３】
より詳しくは、コアンダ羽根４３２及び水平羽根３１の姿勢の組合せ（羽根角度組合せ）と、吹出空気との関係を説明するための図である図２１を用いて説明する。
【０１６４】
なお、図２１において、θ１は、垂直羽根２０を正面吹き姿勢に固定した状態で、第３気流状態から第１気流状態に変化したときのコアンダ羽根４３２及び水平羽根３１の羽根角度組合せを示しており、θ２は、垂直羽根２０を正面吹き姿勢に固定した状態で、第１気流状態から第３気流状態に変化したときのコアンダ羽根４３２及び水平羽根３１の羽根角度組合せを示しており、θ３は、垂直羽根２０を正面吹き姿勢に固定した状態で、第２気流状態から第３気流状態に変化したときのコアンダ羽根４３２及び水平羽根３１の羽根角度組合せを示しており、θ４は、垂直羽根２０を正面吹き姿勢に固定した状態で、第３気流状態から第２気流状態に変化したときのコアンダ羽根４３２及び水平羽根３１の羽根角度組合せを示しており、θ５は、垂直羽根２０を横吹き姿勢に固定した状態で、第３気流状態から第１気流状態に変化したときのコアンダ羽根４３２及び水平羽根３１の羽根角度組合せを示しており、θ６は、垂直羽根２０を横吹き姿勢に固定した状態で、第１気流状態から第３気流状態に変化したときのコアンダ羽根４３２及び水平羽根３１の羽根角度組合せを示している。また、図２１に示す水平羽根３１の羽根角度θｈとは、図１８に示すように、水平羽根３１の外側面３１ａの前後端を結ぶ直線Ｌｈと、水平線との角度のことである。そして、図２１に示すコアンダ羽根４３２の羽根角度θｃとは、コアンダ羽根４３２の外側面４３２ａの前後端を結ぶ直線Ｌｃと、水平線との角度のことである。ここで、羽根角度θｈ及び羽根角度θｃは絶対値ではなく、水平線よりも下方となる場合は負の値である。そして、水平羽根３１及びコアンダ羽根４３２の開き角度（相対角度）θは、式：θ＝θｃ−θｈで表すことができる。
【０１６５】
なお、図２１は、室内ファン１４の風量を変化させずに所定の風量に固定して、コアンダ羽根４３２に対する水平羽根３１の羽根角度（姿勢）を変更することで、評価試験を行った結果である。
【０１６６】
第２実施形態でも説明したように、垂直羽根２０の姿勢が正面吹き姿勢である場合、コアンダ羽根４３２及び水平羽根３１の羽根角度組合せとして、第１気流状態となる羽根角度組合せ領域である第１領域と、第２気流状態となる羽根角度組合せ領域である第２領域と、の間に、第３気流状態となる羽根角度組合せ領域である第３領域が存在する。さらに、第３領域には、ヒステリシス領域（第４領域及び第５領域）が存在する。
【０１６７】
そして、例えば、垂直羽根２０を横吹き姿勢で固定し、かつ、コアンダ羽根４３２の羽根角度θｃを２５度に固定した状態で、水平羽根３１の羽根角度θｈを−１２度から徐々に大きく（０度に近くなるように）していくと、水平羽根３１の羽根角度θｈが−５度になったときに、第３気流状態から第１気流状態に切り換わる。一方で、垂直羽根２０を横吹き姿勢で固定し、かつ、コアンダ羽根４３２の羽根角度θｃを２５度に固定した状態で、水平羽根３１の羽根角度θｈを−４度から徐々に小さく（０度から遠ざかるように）していくと、水平羽根３１の羽根角度θｈが−１０度になったときに、第１気流状態から第３気流状態に切り換わる。
【０１６８】
このように、垂直羽根２０の姿勢が横吹き姿勢である場合にも、コアンダ羽根４３２及び水平羽根３１の羽根角度組合せとして、第１気流状態となる羽根角度組合せ領域（図２１に示す羽根角度組合せθ５よりもコアンダ羽根４３２及び水平羽根３１の相対角度が小さい羽根角度組合せ領域、以下、第７領域という）が存在する。
【０１６９】
さらに、垂直羽根２０が横吹き姿勢を採る場合に、第３気流状態から第１気流状態に変化するときの羽根角度組合せθ５の相対角度と、第１気流状態から第３気流状態に変化するときの羽根角度組合せθ６の相対角度とが異なっていることから、垂直羽根２０が横吹き姿勢を採る場合にも、ヒステリシス領域が存在する。なお、垂直羽根２０が横吹き姿勢を採る場合にも、羽根角度組合せθ６の相対角度よりも角度が大きい範囲では、所定の角度になるまで第３気流状態が維持される。
【０１７０】
以上より、垂直羽根２０が正面吹き姿勢を採る場合と、垂直羽根２０が横吹き姿勢を採る場合とによって、第３気流状態から第１気流状態に変化するときのコアンダ羽根４３２及び水平羽根３１の羽根角度組合せが、異なっていることが判明した。具体的には、垂直羽根２０が正面吹き姿勢を採る場合には、第３気流状態から第１気流状態に変化するときのコアンダ羽根４３２及び水平羽根３１の羽根角度組合せは、図２１に示す羽根角度組合せθ１であるのに対して、垂直羽根２０が横吹き姿勢を採る場合には、第３気流状態から第１気流状態に変化するときのコアンダ羽根４３２及び水平羽根３１の羽根角度組合せは、図２１に示す羽根角度組合せθ５である。
【０１７１】
そして、垂直羽根２０が正面吹き姿勢を採るときに気流状態が第１気流状態となるのは、コアンダ羽根４３２及び水平羽根３１の羽根角度組合せが羽根角度組合せθ１の相対角度よりも小さい羽根角度組合せ領域である第１領域の所定の羽根角度組合せにあるときであるのに対して、垂直羽根２０が横吹き姿勢を採るときに気流状態が第１気流状態となるのは、コアンダ羽根４３２及び水平羽根３１の羽根角度組合せが羽根角度組合せθ５の相対角度よりも小さい羽根角度組合せ領域である第７領域の所定の羽根角度組合せにあるときである。
【０１７２】
このことから、コアンダ羽根４３２の外側面４３２ａ全域で安定したコアンダ気流が発生するコアンダ羽根４３２及び水平羽根３１の相対角度の角度範囲は、垂直羽根２０の姿勢によって異なっており、その一部が重なることが見出された。具体的には、第１領域のほうが第７領域よりも大きく、第１領域と第７領域とが羽根角度組合せθ５よりも相対角度の小さい領域で重なっている。そして、コアンダ羽根４３２の外側面４３２ａ全域で安定したコアンダ気流が発生するコアンダ羽根４３２及び水平羽根３１の相対角度の角度範囲の上限角度は、垂直羽根２０が正面吹き姿勢を採る場合の角度範囲である第１角度範囲のほうが、垂直羽根２０が横吹き姿勢を採る場合の角度範囲（以下、第７角度範囲という）よりも大きく、しかも、第１角度範囲の上限角度から第７角度範囲の上限角度までの間の角度範囲（以下、第８角度範囲という）分だけ、第１角度範囲のほうが、第７角度範囲よりも範囲が広いといえる。
【０１７３】
そして、コアンダ羽根４３２及び水平羽根３１の相対角度が第８角度範囲の所定角度である場合に、垂直羽根２０が正面吹き姿勢を採っていれば、コアンダ羽根４３２の外側面４３２ａ全域で安定したコアンダ気流が発生するが、垂直羽根２０が横吹き姿勢を採っていれば、コアンダ羽根４３２の外側面４３２ａの両端部では外側面４３２ａに沿ったコアンダ気流が発生するけれどもコアンダ羽根４３２の外側面４３２ａの中央部分ではコアンダ気流が発生しない不安定な気流になる。
【０１７４】
そこで、コアンダ羽根４３２及び水平羽根３１のそれぞれの姿勢を、コアンダ羽根４３２及び水平羽根３１の相対角度が第８角度範囲の所定角度となる羽根角度組合せ領域（以下、第８領域という）にある所定の姿勢に設定しておくことで、コアンダ羽根４３２の外側面４３２ａ全域で安定したコアンダ気流を発生させる「コアンダ気流天井吹き」や「コアンダ気流前方吹き」が選択された場合には、垂直羽根２０の姿勢を正面吹き姿勢にすることで、吹出空気の全てをコアンダ気流にすることができる。一方で、コアンダ羽根４３２の外側面４３２ａの一部でコアンダ気流を発生させ、他部ではコアンダ気流を発生させない「一部天井吹き」や「除湿能力向上吹き」が選択された場合には、垂直羽根２０の姿勢を横吹き姿勢にすることで、吹出空気の一部をコアンダ気流にし、吹出空気の残りをコアンダ気流にしないようにすることができる。
【０１７５】
また、垂直羽根２０の姿勢が変わることで、コアンダ羽根４３２の外側面４３２ａの一部でコアンダ気流が発生し、他部ではコアンダ気流が発生しない不安定な気流になるコアンダ羽根４３２及び水平羽根３１の羽根角度組合せの領域が変わることから、コアンダ羽根４３２の外側面４３２ａ全域でコアンダ気流を発生させる場合、又は、コアンダ羽根４３２の外側面４３２ａ全域でコアンダ気流を発生させない場合と、コアンダ羽根４３２の外側面４３２ａの一部でコアンダ気流を発生させ、他部ではコアンダ気流を発生させない場合とで、横吹き姿勢を採る垂直羽根２０の羽根片２１の角度（以下、垂直羽根２０の羽根角度という）を異なる角度に設定してもよい。
【０１７６】
例えば、正面吹き姿勢を採る垂直羽根２０に対する横吹き姿勢を採る垂直羽根２０の羽根角度を、コアンダ羽根４３２の外側面４３２ａの一部でコアンダ気流を発生させ、他部ではコアンダ気流を発生させないモード（「一部天井吹き」及び「除湿能力向上吹き」）の実行時のほうが、コアンダ羽根４３２の外側面４３２ａ全域でコアンダ気流を発生させるモード（「コアンダ気流天井吹き」及び「コアンダ気流前方吹き」）やコアンダ羽根４３２の外側面４３２ａにコアンダ気流を発生させないモード（「通常前吹き」及び「通常前方下吹き」）の実行時よりも、小さくなるように設定していてもよい。
【０１７７】
具体的には、横吹き姿勢のうち、コアンダ羽根４３２の外側面４３２ａの一部でコアンダ気流を発生させ、他部ではコアンダ気流を発生させないモード（「一部天井吹き」及び「除湿能力向上吹き」）の実行時の垂直羽根２０の姿勢を第１横吹き姿勢とし、コアンダ羽根４３２の外側面４３２ａ全域でコアンダ気流を発生させ、又は、コアンダ羽根４３２の外側面４３２ａ全域でコアンダ気流を発生させないモード（「コアンダ気流天井吹き」「コアンダ気流前方吹き」「通常前吹き」及び「通常前方下吹き」）の実行時の垂直羽根２０の姿勢を第２横吹き姿勢とすると、図２２に示すように、正面吹き姿勢を採る垂直羽根２０の羽根片２１と第１横吹き姿勢を採る垂直羽根２０の羽根片２１とのなす角度である角度θｖ１を、正面吹き姿勢を採る垂直羽根２０の羽根片２１と第２横吹き姿勢を採る垂直羽根２０の羽根片２１とのなす角度である角度θｖ２よりも、小さくなるように設定する。
【０１７８】
これにより、実行するモードに応じて横吹き姿勢を採る垂直羽根２０の羽根角度を異なる羽根角度に設定しない場合、すなわち、全てのモードの実行時に、正面吹き姿勢を採る垂直羽根２０の羽根片２１と横吹き姿勢を採る垂直羽根２０の羽根片２１とのなす角度を、角度θｖ２に設定する場合と比較して、コアンダ羽根４３２の外側面４３２ａの一部ではコアンダ気流になるがコアンダ羽根４３２の外側面４３２ａの他部ではコアンダ気流にならない不安定な気流になるコアンダ羽根４３２及び水平羽根３１の羽根角度組合せの領域を小さくすることができる。すなわち、コアンダ羽根４３２の外側面４３２ａ全域でコアンダ気流が発生するコアンダ羽根４３２及び水平羽根３１の羽根角度組合せの領域を大きくすることができる。これにより、吹出空気の一部だけをコアンダ気流にする不安定な気流を形成するモード以外のモードの実行時に、吹出空気の一部がコアンダ気流になるおそれを低減することができる。
【０１７９】
このように、制御部が垂直羽根２０の姿勢を変更することで、コアンダ気流を利用した風向きのみを形成したり、コアンダ気流を利用した風向きとコアンダ気流を利用しない風向きとを同時に形成したりすることができる。
【０１８０】
したがって、コアンダ気流利用モードにおいて、吹出空気の全てをコアンダ気流にする風向きのみが形成される空調室内機と比較して、風向きのバリエーションを増やすことができる。
【０１８１】
さらに、コアンダ気流を利用した風向きとコアンダ気流を利用しない風向きとを同時に形成するときに、吹出空気が吹出口１５から左右方向に向かって吹き出されるため、上下左右方向から包み込むような気流を生み出すことができる。
【０１８２】
また、コアンダ気流を利用した風向きとコアンダ気流を利用しない風向きとが同時に形成される場合に、コアンダ気流が吸込口１９近傍に導かれるようにコアンダ羽根４３２及び水平羽根３１の姿勢を設定しておくことで、コアンダ気流となった吹出空気の一部だけをショートサーキットさせることができるため、ショートサーキットさせた吹出空気の一部で除湿能力を向上させつつ、吹出空気の残りで室内の空調を行うことができる。
【０１８３】
さらに、コアンダ羽根４３２及び水平羽根３１が２以上に分割されていないため、第１実施形態の空調室内機１０のように、コアンダ羽根４３２を２以上に分割してコアンダ気流を利用した風向きとコアンダ気流を利用しない風向きとを同時に形成したり、或いは、水平羽根３１を２以上に分割してコアンダ気流を利用した風向きとコアンダ気流を利用しない風向きとを同時に形成したりする場合と比較して、空調室内機を低コストで製造することができる。
【産業上の利用可能性】
【０１８４】
本発明は、コアンダ気流を利用した風向きとコアンダ気流を利用しない風向きとを同時に形成することで、様々なバリエーションの風向きを形成することができる空調室内機に関するものであり、コアンダ羽根及び水平羽根が共同してコアンダ気流を形成する空調室内機への適用が有効である。
【符号の説明】
【０１８５】
１１      本体ケーシング（ケーシング）
１５      吹出口
１９      吸込口
４０      制御部
３３      第１コアンダ羽根
３４      第２コアンダ羽根
２３５      第１水平羽根
２３６      第２水平羽根
３１，２３１，４３１  水平羽根
３２，４３２          コアンダ羽根
３３ａ，３４ａ，２３２ａ，３３２ａ，４３２ａ  外側面（所定の面）
【先行技術文献】
【特許文献】
【０１８６】
【特許文献１】特開２００４−１０１１２８号公報
【図１】
0005536158.tif 000002
【図２】
0005536158.tif 000003
【図３】
0005536158.tif 000004
【図４】
0005536158.tif 000005
【図５】
0005536158.tif 000006
【図６Ａ】
0005536158.tif 000007
【図６Ｂ】
0005536158.tif 000008
【図６Ｃ】
0005536158.tif 000009
【図６Ｄ】
0005536158.tif 000010
【図６Ｅ】
0005536158.tif 000011
【図６Ｆ】
0005536158.tif 000012
【図７】
0005536158.tif 000013
【図８】
0005536158.tif 000014
【図９】
0005536158.tif 000015
【図１０】
0005536158.tif 000016
【図１１】
0005536158.tif 000017
【図１２】
0005536158.tif 000018
【図１３】
0005536158.tif 000019
【図１４】
0005536158.tif 000020
【図１５】
0005536158.tif 000021
【図１６】
0005536158.tif 000022
【図１７】
0005536158.tif 000023
【図１８】
0005536158.tif 000024
【図１９】
0005536158.tif 000025
【図２０】
0005536158.tif 000026
【図２１】
0005536158.tif 000027
【図２２】
0005536158.tif 000028